(57)【特許請求の範囲】
【請求項１】
図柄変動ゲームを表示する表示手段を備え、前記図柄変動ゲームにて当り表示結果が表示された場合に、特別入賞手段が所定回数開放される当り遊技が行われる遊技機において、
第１図柄変動ゲームの始動条件を付与する第１始動検知手段と、
第２図柄変動ゲームの始動条件を付与する第２始動検知手段と、
前記第１始動検知手段で検知された遊技球に基づく判定情報を第１始動保留として第１記憶上限数まで記憶する第１保留記憶手段と、
前記第２始動検知手段で検知された遊技球に基づく判定情報を第２始動保留として第２記憶上限数まで記憶する第２保留記憶手段と、
前記第１始動検知手段又は前記第２始動検知手段で遊技球が検知されたことを契機に、当りか否かの当り判定を実行する当り判定手段と、
前記当り判定で当りと判定された場合に付与する当りの種類を複数種類の当りの中から決定する当り決定手段と、
前記第２始動検知手段への単位時間あたりの遊技球の入球確率を向上させる入球率向上状態の付与態様を制御する遊技状態制御手段と、
前記第１図柄変動ゲーム又は前記第２図柄変動ゲームを前記表示手段に表示させるように制御する図柄変動ゲーム制御手段と、を備え、
前記当り判定手段は、前記第１図柄変動ゲームに基づく当り判定、又は前記第２図柄変動ゲームに基づく当り判定で当りと判定する確率を同一確率とし、
前記図柄変動ゲーム制御手段は、
前記第１始動検知手段又は前記第２始動検知手段において遊技球を検知した順に図柄変動ゲームを実行させるようになっており、
前記遊技状態制御手段は、
前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、
前記入球率向上状態において前記第１図柄変動ゲームに基づく当り判定で当りと判定された場合、前記入球率向上状態が付与されていない非入球率向上状態において前記第１図柄変動ゲームに基づく当り判定で当りと判定された場合に比して多い回数を上限として当り遊技終了後の図柄変動ゲームで前記入球率向上状態を付与するようになっており、
特定当りが決定された場合、前記第１記憶上限数と同一回数の前記第１図柄変動ゲームが行われるまでに、前記第１始動保留として記憶された前記第１図柄変動ゲームが終了することを契機に終了する特別入球率向上状態を付与することを特徴とする遊技機。
【請求項２】
図柄変動ゲームを表示する表示手段を備え、前記図柄変動ゲームにて当り表示結果が表示された場合に、特別入賞手段が所定回数開放される当り遊技が行われる遊技機において、
第１図柄変動ゲームの始動条件を付与する第１始動検知手段と、
第２図柄変動ゲームの始動条件を付与する第２始動検知手段と、
前記第１始動検知手段で検知された遊技球に基づく判定情報を第１始動保留として第１記憶上限数まで記憶する第１保留記憶手段と、
前記第２始動検知手段で検知された遊技球に基づく判定情報を第２始動保留として第２記憶上限数まで記憶する第２保留記憶手段と、
前記第１始動検知手段又は前記第２始動検知手段で遊技球が検知されたことを契機に、当りか否かの当り判定を実行する当り判定手段と、
前記当り判定で当りと判定された場合に付与する当りの種類を複数種類の当りの中から決定する当り決定手段と、
前記第２始動検知手段への単位時間あたりの遊技球の入球確率を向上させる入球率向上状態の付与態様を制御する遊技状態制御手段と、
前記第１図柄変動ゲーム又は前記第２図柄変動ゲームを前記表示手段に表示させるように制御する図柄変動ゲーム制御手段と、を備え、
前記当り判定手段は、前記第１図柄変動ゲームに基づく当り判定、又は前記第２図柄変動ゲームに基づく当り判定で当りと判定する確率を同一確率とし、
前記当り決定手段は、前記入球率向上状態が付与されている場合において、前記第１図柄変動ゲームに基づく当り判定で当りと判定されたときと前記第２図柄変動ゲームに基づく当り判定で当りと判定されたときとで、当りの種類を同一の決定態様で決定し、
前記図柄変動ゲーム制御手段は、
前記第１始動検知手段又は前記第２始動検知手段において遊技球を検知した順に図柄変動ゲームを実行させるようになっており、
前記遊技状態制御手段は、前記入球率向上状態が付与されていない場合において、前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、
前記入球率向上状態において前記第１図柄変動ゲームに基づく当り判定で当りと判定された場合、前記入球率向上状態が付与されていない非入球率向上状態において前記第１図柄変動ゲームに基づく当り判定で当りと判定された場合に比して多い回数を上限として当り遊技終了後の図柄変動ゲームで前記入球率向上状態を付与するようになっており、
特定当りが決定された場合、前記第１記憶上限数と同一回数の前記第１図柄変動ゲームが行われることを契機に前記入球率向上状態を終了させることを特徴とする遊技機。
【請求項３】
遊技球を遊技盤に向かって発射させるために遊技者が操作可能な発射手段を備え、
前記第１始動検知手段と前記第２始動検知手段は、前記遊技盤において前記第２始動検知手段に向かって遊技球を発射させた際に、前記第１始動検知手段又は前記第２始動検知手段に遊技球が入球し得るような位置関係で配置されていることを特徴とする請求項１又は請求項２に記載の遊技機。
【発明の詳細な説明】
【技術分野】
【０００１】
本発明は、大当り抽選に当選した際の遊技状態に応じて、大当り遊技終了後に付与する特典を変化させる遊技機に関する。
【背景技術】
【０００２】
従来、遊技機の一種であるパチンコ遊技機には、入球率向上機能が搭載されている（例えば、特許文献１）。入球率向上機能は、大当り遊技終了後に、単位時間あたりの始動検知手段（後に詳述する第２始動検知手段）への遊技球の入球確率を向上させる入球率向上状態を付与する機能である。入球率向上状態は、単位時間あたりの始動検知手段への遊技球の入球確率が増加することで、大当り抽選の権利を獲得し易くなることから、遊技者にとって有利な状態となり得る。
【０００３】
特許文献１のパチンコ遊技機では、第１図柄変動ゲームの始動条件を付与する第１始動検知手段と、第２図柄変動ゲームの始動条件を付与する第２始動検知手段と、を備えている。第１始動検知手段は、常時開口している一方で、第２始動検知手段は、入球率向上状態中に開口し易くなる。そして、保留中の第１図柄変動ゲームを示す第１始動保留球が存在する場合であっても、保留中の第２図柄変動ゲームを示す第２始動保留球が存在する場合には、第２図柄変動ゲームを優先的に実行させるようになっている。
【０００４】
一般的なパチンコ遊技機では、入球率向上状態が付与されていないときよりも、入球率向上状態が付与されているときに大当り抽選に当選したときの方が、大当り遊技終了後に入球率向上状態が付与される図柄変動ゲームの上限回数が多くなっている。これにより、特許文献１のパチンコ遊技機でも、入球率向上状態中に入球し易い第２始動検知手段への入球に基づく第２図柄変動ゲームの方が、第１図柄変動ゲームよりも入球率向上状態が付与される図柄変動ゲームの上限回数が多くなり易い。
【先行技術文献】
【特許文献】
【０００５】
【特許文献１】特開２０１０−９９２３０号公報
【発明の概要】
【発明が解決しようとする課題】
【０００６】
ところで、第２始動検知手段に入球し易い入球率向上状態中であっても、第１始動検知手段で遊技球が検知されることもある。しかしながら、前述したように、入球率向上状態中は第２図柄変動ゲームが優先的に実行されるため、入球率向上状態中に第１始動検知手段に入球した遊技球は、第１始動保留球として記憶され、第２始動保留球が零になるまで実行が保留される。
【０００７】
また、入球率向上状態は、上限回数に到達したことなど終了条件の成立を契機に終了するため、入球率向上状態中に第１始動検知手段で検知された遊技球に基づく第１図柄変動ゲームは、入球率向上状態が終了するまで実行が保留されることがある。このような場合、同一の「入球率向上状態」中に入球した遊技球であるにもかかわらず、一方（第２図柄変動ゲーム）は、入球率向上状態中に大当り抽選を行うことができるので、入球率向上状態中に当選した際に付与される利益（上限回数）が与えられる。一方、他方（第１図柄変動ゲーム）では、入球率向上状態の終了後に大当り抽選が行われるため、入球率向上状態中に付与されるはずであった利益が与えられない。したがって、遊技者に対して、同一の「入球率向上状態」中に入球した遊技球であるにもかかわらず、大当り抽選の実行タイミングによって利益が異なることに対して違和感を与えてしまう虞があった。
【０００８】
この発明は、このような従来の技術に存在する問題点に着目してなされたものであり、その目的は、第１始動検知手段で検知された遊技球に基づく第１図柄変動ゲームを不利としないようにすることができる遊技機を提供することにある。
【課題を解決するための手段】
【０００９】
上記問題点を解決するために、請求項１に記載の発明は、図柄変動ゲームを表示する表示手段を備え、前記図柄変動ゲームにて当り表示結果が表示された場合に、特別入賞手段が所定回数開放される当り遊技が行われる遊技機において、第１図柄変動ゲームの始動条件を付与する第１始動検知手段と、第２図柄変動ゲームの始動条件を付与する第２始動検知手段と、前記第１始動検知手段で検知された遊技球に基づく判定情報を第１始動保留として第１記憶上限数まで記憶する第１保留記憶手段と、前記第２始動検知手段で検知された遊技球に基づく判定情報を第２始動保留として第２記憶上限数まで記憶する第２保留記憶手段と、前記第１始動検知手段又は前記第２始動検知手段で遊技球が検知されたことを契機に、当りか否かの当り判定を実行する当り判定手段と、前記当り判定で当りと判定された場合に付与する当りの種類を複数種類の当りの中から決定する当り決定手段と、前記第２始動検知手段への単位時間あたりの遊技球の入球確率を向上させる入球率向上状態の付与態様を制御する遊技状態制御手段と、前記第１図柄変動ゲーム又は前記第２図柄変動ゲームを前記表示手段に表示させるように制御する図柄変動ゲーム制御手段と、を備え、前記当り判定手段は、前記第１図柄変動ゲームに基づく当り判定、又は前記第２図柄変動ゲームに基づく当り判定で当りと判定する確率を同一確率とし、前記図柄変動ゲーム制御手段は、前記第１始動検知手段又は前記第２始動検知手段において遊技球を検知した順に図柄変動ゲームを実行させるようになっており、前記遊技状態制御手段は、前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、前記入球率向上状態において前記第１図柄変動ゲームに基づく当り判定で当りと判定された場合、前記入球率向上状態が付与されていない非入球率向上状態において前記第１図柄変動ゲームに基づく当り判定で当りと判定された場合に比して多い回数を上限として当り遊技終了後の図柄変動ゲームで前記入球率向上状態を付与するようになっており、特定当りが決定された場合、前記第１記憶上限数と同一回数の前記第１図柄変動ゲームが行われるまでに、前記第１始動保留として記憶された前記第１図柄変動ゲームが終了することを契機に終了する特別入球率向上状態を付与することを要旨とする。
【００１０】
請求項２に記載の発明は、図柄変動ゲームを表示する表示手段を備え、前記図柄変動ゲームにて当り表示結果が表示された場合に、特別入賞手段が所定回数開放される当り遊技が行われる遊技機において、第１図柄変動ゲームの始動条件を付与する第１始動検知手段と、第２図柄変動ゲームの始動条件を付与する第２始動検知手段と、前記第１始動検知手段で検知された遊技球に基づく判定情報を第１始動保留として第１記憶上限数まで記憶する第１保留記憶手段と、前記第２始動検知手段で検知された遊技球に基づく判定情報を第２始動保留として第２記憶上限数まで記憶する第２保留記憶手段と、前記第１始動検知手段又は前記第２始動検知手段で遊技球が検知されたことを契機に、当りか否かの当り判定を実行する当り判定手段と、前記当り判定で当りと判定された場合に付与する当りの種類を複数種類の当りの中から決定する当り決定手段と、前記第２始動検知手段への単位時間あたりの遊技球の入球確率を向上させる入球率向上状態の付与態様を制御する遊技状態制御手段と、前記第１図柄変動ゲーム又は前記第２図柄変動ゲームを前記表示手段に表示させるように制御する図柄変動ゲーム制御手段と、を備え、前記当り判定手段は、前記第１図柄変動ゲームに基づく当り判定、又は前記第２図柄変動ゲームに基づく当り判定で当りと判定する確率を同一確率とし、前記当り決定手段は、前記入球率向上状態が付与されている場合において、前記第１図柄変動ゲームに基づく当り判定で当りと判定されたときと前記第２図柄変動ゲームに基づく当り判定で当りと判定されたときとで、当りの種類を同一の決定態様で決定し、前記図柄変動ゲーム制御手段は、前記第１始動検知手段又は前記第２始動検知手段において遊技球を検知した順に図柄変動ゲームを実行させるようになっており、前記遊技状態制御手段は、前記入球率向上状態が付与されていない場合において、前記第１図柄変動ゲームに基づく当り判定で当りと判定された場合に比して、前記第２図柄変動ゲームに基づく当り判定で当りと判定された場合の方が、当り遊技終了後に前記入球率向上状態の付与態様を有利に制御し、前記入球率向上状態において前記第１図柄変動ゲームに基づく当り判定で当りと判定された場合、前記入球率向上状態が付与されていない非入球率向上状態において前記第１図柄変動ゲームに基づく当り判定で当りと判定された場合に比して多い回数を上限として当り遊技終了後の図柄変動ゲームで前記入球率向上状態を付与するようになっており、特定当りが決定された場合、前記第１記憶上限数と同一回数の前記第１図柄変動ゲームが行われることを契機に前記入球率向上状態を終了させることを要旨とする。
【００１２】
請求項３に記載の発明は、請求項１又は請求項２に記載の遊技機において、遊技球を遊技盤に向かって発射させるために遊技者が操作可能な発射手段を備え、前記第１始動検知手段と前記第２始動検知手段は、前記遊技盤において前記第２始動検知手段に向かって遊技球を発射させた際に、前記第１始動検知手段又は前記第２始動検知手段に遊技球が入球し得るような位置関係で配置されていることを要旨とする。
【発明の効果】
【００１３】
本発明によれば、第１始動検知手段で検知された遊技球に基づく第１図柄変動ゲームを不利としないようにすることができる。
【図面の簡単な説明】
【００１４】
【図１】パチンコ遊技機の機表側を示す正面図。
【図２】遊技盤を示す正面図。
【図３】大当りの種類を説明する説明図。
【図４】演出モードの移行態様を示す模式図。
【図５】パチンコ遊技機の電気的構成を示すブロック図。
【図６】特別図柄入力処理の流れを示すフローチャート。
【図７】特別図柄開始処理の流れを示すフローチャート。
【図８】変動パターンを説明する説明図。
【図９】変短設定処理の流れを示すフローチャート。
【図１０】大当り遊技終了後の演出の流れを示すタイミングチャート。
【発明を実施するための形態】
【００１５】
以下、本発明をその一種であるパチンコ遊技機に具体化した一実施形態を図１〜図１０に従って説明する。
図１には、パチンコ遊技機１が略示されており、パチンコ遊技機１の機体の外郭をなす外枠Ｙ１の開口前面側には、各種の遊技用構成部材をセットする縦長方形の中枠Ｙ２が開放及び着脱自在に組み付けられているとともに、中枠Ｙ２の前面側には前枠Ｙ３が開閉及び着脱自在に組み付けられている。前枠Ｙ３は、図１に示すようにパチンコ遊技機１を機正面側から見た場合において、中枠Ｙ２に重なるように組み付けられている。前枠Ｙ３は、遊技球を貯留可能な上皿Ｙ４を一体成形した構成とされているとともに、裏面側には、機内部に配置された遊技盤１０を保護するガラス支持枠が組み付けられている。また、中枠Ｙ２の前面側であって前枠Ｙ３の下部には、上皿Ｙ４から溢れ出た遊技球を貯留する下皿Ｙ５が装着されているとともに、下皿Ｙ５の右方には、遊技球を遊技盤１０に発射させる際に遊技者によって回動操作される遊技球発射用の発射ハンドルＨＤ（発射手段）が装着されている。
【００１６】
遊技者が発射ハンドルＨＤを把持して回動操作すると、上皿Ｙ４に貯留されている遊技球が１球ずつ機内部に取り込まれ、遊技盤１０に向けて発射される。遊技盤１０に向けて発射される遊技球は、発射ハンドルＨＤの回動量に応じて発射の強弱が設定される。
【００１７】
次に、遊技盤１０の構成を、図２に従って詳しく説明する。
図２に示すように、遊技盤１０の前面には、発射ハンドルＨＤの操作によって発射された遊技球を誘導し、かつパチンコ遊技の主体となるほぼ円形の遊技領域１０ａを形成する誘導レールＹＲが円形渦巻き状に敷設されている。この誘導レールＹＲによって遊技盤１０には、該遊技盤１０の左下方から左上方に向かって延びる遊技球の発射レールとしての誘導路ＹＲａが形成されるとともに、誘導レールＹＲの内側にほぼ円形の遊技領域１０ａが形成される。また、遊技盤１０の前面であって誘導レールＹＲの外側となる遊技領域１０ａ外は、パチンコ遊技に直接関与しない非遊技領域１０ｂとされている。
【００１８】
図１に示すように、パチンコ遊技機１の遊技盤１０のほぼ中央には、各種の表示装置や各種の飾りを施した表示枠体（センター役物）ＨＷが装着されている。表示枠体ＨＷの略中央には、正面視横長矩形に開口するセット口ＨＷａが形成されており、当該セット口ＨＷａに整合して表示枠体ＨＷには液晶ディスプレイ型の画像表示部ＧＨを有する表示手段としての演出表示装置１１が装着されている。
【００１９】
また、演出表示装置１１の左下方には、７セグメント型の第１特別図柄表示装置１２ａが配設されている。また、第１特別図柄表示装置１２ａの右下方には、７セグメント型の第２特別図柄表示装置１２ｂが配設されている。特別図柄表示装置１２ａ，１２ｂでは、特別図柄（以下、「特図」と示す）を変動させて表示する図柄変動ゲームが行われる。特図は、大当りか否かの内部抽選（大当り抽選）の結果を示す報知用の図柄である。以下、第１特別図柄表示装置１２ａの図柄変動ゲームを「第１特図変動ゲーム」と示し、第１特図変動ゲームで用いる特図を「特図１」と示す。また、第２特別図柄表示装置１２ｂの図柄変動ゲームを「第２特図変動ゲーム」と示し、第２特図変動ゲームで用いる特図を「特図２」と示す。また、以下の説明で、第１特図変動ゲームと第２特図変動ゲームを纏めて示す場合には「特図変動ゲーム」と示す。また、以下の説明で、単に「特図」と示す場合には、特図１と特図２の両図柄を示すものとする。
【００２０】
特別図柄表示装置１２ａ，１２ｂには、複数種類（本実施形態では、１０１種類）の特図の中から、大当り抽選の抽選結果に応じて選択された特図が、特図変動ゲームの終了によって確定停止表示される。１０１種類の特図は、大当りを認識し得る図柄となる１００種類の大当り図柄（大当り表示結果に相当する）と、はずれを認識し得る図柄となる１種類のはずれ図柄とに分類される。大当り図柄が確定停止表示された場合、遊技者には、大当り遊技が付与される。
【００２１】
また、演出表示装置１１には、図柄列毎に複数種類の飾り図柄（飾図）が表示される。そして、各図柄列は、図柄変動ゲームが開始すると、所定の変動方向に図柄の変動（縦スクロール変動）が開始される。
【００２２】
演出表示装置１１は、特別図柄表示装置１２ａ，１２ｂに比較して大きい表示領域で構成されるとともに、飾図は特図に比較して遥かに大きく表示される。このため、遊技者は、演出表示装置１１に確定停止表示された飾図から大当り又ははずれを認識し得る。そして、演出表示装置１１には、特図変動ゲームの表示結果に応じた表示結果が表示される。具体的に言えば、特図変動ゲームで大当り図柄（大当り表示結果）が確定停止表示される場合には、演出表示装置１１にも大当り図柄（大当り表示結果）が確定停止表示される。本実施形態において、飾図による大当り図柄は、全列の図柄が同一図柄となる図柄組み合わせ（［２２２］，［７７７］など）とされている。
【００２３】
また、特図変動ゲームではずれ図柄（はずれ表示結果）が確定停止表示される場合には、演出表示装置１１にもはずれ図柄（はずれ表示結果）が確定停止表示される。本実施形態において、飾図によるはずれ図柄は、全列の図柄が異なる図柄となる図柄組み合わせ（［１３５］，［２４６］など）、又は１列の図柄が他の２列の図柄とは異なる図柄となる図柄組み合わせ（［１５１］，［７６７］など）とされている。
【００２４】
また、演出表示装置１１では、遊技者側から見て左列→右列→中列の順に図柄列の変動が停止するとともに、変動停止によって図柄列毎に飾図が一旦停止表示される。そして、本実施形態では、特定の複数列（左右の２列）の図柄が同一図柄となる図柄組み合わせが、リーチの図柄組み合わせとなる。図柄の変動が停止するとは、演出表示装置１１において図柄が停止表示されている状態を示す。そして、停止表示には、図柄がゆれ変動状態で表示されている一旦停止表示と、図柄が確定停止している確定停止表示とがある。本実施形態では、複数の図柄列のうち左列が第１停止列、右列が第２停止列、中列が第３停止列（最終停止列）となり、左列及び右列がリーチを形成するリーチ形成列となる。以下、第１特図変動ゲームに対応する飾図の図柄変動ゲーム、及び第１特図変動ゲームを纏めて「第１図柄変動ゲーム」と示す場合がある。また、第２特図変動ゲームに対応する飾図の図柄変動ゲーム、及び第２特図変動ゲームを纏めて「第２図柄変動ゲーム」と示す場合がある。また、以下の説明で、単に「図柄変動ゲーム」と示す場合には、第１図柄変動ゲームと第２図柄変動ゲームの両方のゲームを示すものとする。
【００２５】
第１特別図柄表示装置１２ａの右方には、複数個（本実施形態では２個）の第１特図保留発光部を備えた第１特別図柄保留表示装置１３ａが配設されている。第１特別図柄保留表示装置１３ａは、機内部で記憶した第１特図変動ゲーム（特１）用の始動保留球（第１始動保留球）の記憶数を遊技者に報知する。以下、第１特図変動ゲーム（特図１）用の始動保留球の記憶数を「第１保留記憶数」と示す。第１保留記憶数は、遊技盤１０に配設した第１始動入賞口１６に遊技球が入球することで「１」加算される一方で、第１特図変動ゲームの開始により「１」減算される。したがって、第１特図変動ゲーム中に第１始動入賞口１６へ遊技球が入球すると、第１保留記憶数は更に加算されるとともに、所定の上限数（本実施形態では「４」）まで累積される。第１保留記憶数は、実行保留中の第１特図変動ゲームの実行回数を示す。本実施形態では、第１保留記憶数の上限数が、第１記憶上限数となる。
【００２６】
第２特別図柄表示装置１２ｂの右方には、複数個（本実施形態では２個）の第２特図保留発光部を備えた第２特別図柄保留表示装置１３ｂが配設されている。第２特別図柄保留表示装置１３ｂは、機内部で記憶した第２特図変動ゲーム（特図２）用の始動保留球（第２始動保留球）の記憶数を遊技者に報知する。以下、第２特図変動ゲーム用の始動保留球の記憶数を「第２保留記憶数」と示す。第２保留記憶数は、遊技盤１０に配設した第２始動入賞口１７に遊技球が入球することで「１」加算される一方で、第２特図変動ゲームの開始により「１」減算される。したがって、第２特図変動ゲーム中に第２始動入賞口１７へ遊技球が入球すると、第２保留記憶数は更に加算されるとともに、所定の上限数（本実施形態では「４」）まで累積される。第２保留記憶数は、実行保留中の第２特図変動ゲームの実行回数を示す。本実施形態では、第２保留記憶数の上限数が、第２記憶上限数となる。
【００２７】
また、第１特別図柄保留表示装置１３ａの下方には、普通図柄表示装置１４が配設されている。普通図柄表示装置１４では、複数種類の普通図柄（以下、「普図」と示す）を変動させて表示する普通図柄変動ゲーム（以下、「普図ゲーム」と示す）が行われる。普図は、普図当りか否かの内部抽選（普図当り抽選）の結果を示す報知用の図柄である。
【００２８】
第２特別図柄保留表示装置１３ｂの下方には、複数個（本実施形態では２個）の普図保留発光部を備えた普通図柄保留表示装置１５が配設されている。普通図柄保留表示装置１５は、機内部で記憶した普図用の始動保留球の記憶数を遊技者に報知する。以下、普図ゲーム用の始動保留球の記憶数を「普図保留記憶数」と示す。普図保留記憶数は、遊技盤１０に配設した作動ゲート１９に遊技球が通過（入球）することで「１」加算される一方で、普図ゲームの開始により「１」減算される。したがって、普図ゲーム中に作動ゲート１９へ遊技球が通過すると、普図保留記憶数は更に加算されるとともに、所定の上限数（本実施形態では「４」）まで累積される。普図保留記憶数は、実行保留中の普図ゲームの実行回数を示す。
【００２９】
本実施形態のパチンコ遊技機１は、第１特図変動ゲームと第２特図変動ゲームとが同時に実行されないように構成されている。そして、特図変動ゲームを開始させる際、第１始動入賞口１６又は第２始動入賞口１７に入球した順番に第１特図変動ゲーム又は第２特図変動ゲームを実行させるようになっている。
【００３０】
そして、遊技盤１０において、演出表示装置１１の下方には、遊技球の入球口としての第１入賞口１６ａを有する第１始動検知手段としての第１始動入賞口１６と遊技球の入球口としての第２入賞口１７ａを有する第２始動検知手段としての第２始動入賞口１７が上下方向に並ぶように配置されている。第１始動入賞口１６は、常時遊技球の入球を許容し得るように第１入賞口１６ａを常時開放させた構成とされている。一方で、第２始動入賞口１７は普通電動役物とされ、普通電動役物ソレノイドＳＯＬ１（図５に示す）の作動により開閉動作を行う開閉羽根１８を備えており、開閉羽根１８が開動作することにより遊技球の入球を許容し得るように第２入賞口１７ａを開放させる構成とされている。換言すれば、第２始動入賞口１７は、開閉羽根１８が開動作して第２入賞口１７ａが開放されない限り、遊技球の入球を不能とする構成とされている。
【００３１】
また、第１始動入賞口１６の奥方には、入球した遊技球を検知する第１始動検知手段としての第１始動口スイッチＳＷ１（図５に示す）が配設されている。第１始動入賞口１６は、入球した遊技球を第１始動口スイッチＳＷ１で検知することにより、第１特図変動ゲームの始動条件と予め定めた個数の賞球としての遊技球の払出条件を付与し得る。一方、第２始動入賞口１７の奥方には、入球した遊技球を検知する第２始動検知手段としての第２始動口スイッチＳＷ２（図５に示す）が配設されている。第２始動入賞口１７は、入球した遊技球を第２始動口スイッチＳＷ２で検知することにより、第２特図変動ゲームの始動条件と予め定めた個数の賞球としての遊技球の払出条件を付与し得る。
【００３２】
また、遊技盤１０では、遊技者から見て遊技領域１０ａの左方領域を流下する遊技球が、第１始動入賞口１６又は第２始動入賞口１７に入球可能となるように釘などの遊技構成部材が配置されている。本実施形態における第１始動入賞口１６と第２始動入賞口１７は、同一の流路上に位置するように配置されているため、発射ハンドルＨＤの操作量（遊技球の発射強度）を大幅に変更しなくても、第１始動入賞口１６又は第２始動入賞口１７に遊技球が入球可能となっている。そして、第１始動入賞口１６を狙って遊技球を発射させた場合、第２始動入賞口１７に遊技球が入球し得るようになっている。同様に、第２始動入賞口１７を狙って遊技球を発射させた場合、第１始動入賞口１６にも遊技球が入球し得るようになっている。
【００３３】
また、演出表示装置１１の左方には、作動ゲート１９が配設されている。作動ゲート１９の奥方には、通過した遊技球を検知するゲートスイッチＳＷ４（図５に示す）が配設されている。作動ゲート１９は、通過した遊技球をゲートスイッチＳＷ４で検知することにより、普図ゲームの始動条件を付与し得る。普図ゲームは、第２始動入賞口１７の開閉羽根１８を開放状態とするか否か（第２始動入賞口１７に遊技球を入球可能とするか）の抽選結果を導出するために行われる演出である。そして、普図当り抽選に当選すると、開閉羽根１８の開放によって第２始動入賞口１７に遊技球を入球させ易くなり、遊技者は、第２特図変動ゲームの始動条件と賞球を容易に獲得できる機会を得ることができる。
【００３４】
また、遊技盤１０の下方には、特別入賞手段としての大入賞口２０が配設されている。大入賞口２０は、正面視横長矩形状に形成されており、大入賞口ソレノイドＳＯＬ２（図５に示す）の作動により開閉動作を行う大入賞口扉２０ａを備えている。大入賞口２０は、大入賞口扉２０ａが開動作すると、遊技球の入球口が開放され、遊技球の入球が許容される。
【００３５】
大入賞口２０の奥方には、入球した遊技球を検知するカウントスイッチＳＷ３（図５に示す）が配設されている。大入賞口２０は、入球した遊技球をカウントスイッチＳＷ３で検知することにより、予め定めた個数（例えば９個）の賞球としての遊技球の払出条件を付与し得る。大入賞口２０は、大当り遊技中に大入賞口扉２０ａの開動作によって開放されることで遊技球の入球が許容される。このため、大当り遊技中、遊技者は、賞球を獲得できるチャンスを得ることができる。
【００３６】
また、本実施形態のパチンコ遊技機１は、確率変動（以下、「確変」と示す）機能を備えている。確変機能は、大当り遊技終了後に大当り抽選の抽選確率を低確率から高確率に変動させる確変状態（確率変動状態）を付与する機能である。本実施形態において確変状態は、次回、大当り遊技が生起される迄の間、付与される。確変状態は、大当り抽選の抽選確率が高確率に変動して大当りが生起され易くなるため、遊技者にとって有利な状態となり得る。
【００３７】
また、本実施形態のパチンコ遊技機１では、大当り遊技の終了後に、遊技者に有利な変動時間短縮状態（以下、「変短状態」と示す）が付与される。変短状態では、普図当り抽選の抽選結果を導出する普図ゲームの変動時間が、変短状態が付与されていないとき（非変動時間短縮状態（以下、「非変短状態」と示す）と比べて短縮される。また、変短状態では、普図当り抽選の抽選確率が低確率から高確率に変動する。また、変短状態では、普通当り抽選に当選した際、非変短状態とは異なる動作パターン、かつ多い回数で開閉羽根１８が開閉動作するようになっている。また、変短状態では、普図当り抽選に当選した際、１回の普図当り抽選に当選したことに基づく開閉羽根１８の開放時間が、非変短状態中に比して長くなる。また、変短状態中は、図柄変動ゲームの変動時間が非変短状態中に比して短縮される場合があり（短縮され得る）、特に、はずれ表示結果が確定停止表示される図柄変動ゲームの変動時間が短縮される場合がある。
【００３８】
本実施形態において変短状態は、次回の大当りが生起されるまでの間、予め定めた変短上限回数（本実施形態では、４回、１０回又は１００回）の図柄変動ゲームが終了する迄の間、又は変短上限回数に達する前に大当りが生起される迄の間、付与される。変短状態は、開閉羽根１８が遊技者にとって有利に動作し、単位時間あたりの第２始動入賞口１７への入球率が向上するため、遊技者にとって有利な状態となり得る。そして、変短状態は、開閉羽根１８の単位時間あたりの開放時間の増加を伴う開放時間増加状態であって、開放時間の増加によって入球率が向上する入球率向上状態でもある。以下の説明では、説明の便宜上、入球率向上状態を「変短状態」と記載する場合がある。
【００３９】
以下、本実施形態のパチンコ遊技機１に規定する大当りの種類について、図３に従って説明する。以下の説明では、パチンコ遊技機１の遊技状態として、非確変状態、かつ非変短状態を「低確＋変短なし」と示すとともに、確変状態、かつ非変短状態を「高確＋変短なし」と示す。また、非確変状態、かつ変短状態を「低確＋変短あり」と示すとともに、確変状態、かつ変短状態を「高確＋変短あり」と示す。なお、単に「非変短状態」と示す場合は、「低確＋変短なし」及び「高確＋変短なし」の状態を示す一方で、単に「変短状態」と示す場合、「低確＋変短あり」及び「高確＋変短あり」の状態を示している。
【００４０】
大当り遊技は、特図変動ゲームにて大当り図柄が確定停止表示され、その特図変動ゲームの終了後に開始される。大当り遊技が開始すると、最初に大当り遊技の開始を示すオープニング演出が行われる。オープニング演出の終了後には、大入賞口２０が開放されるラウンド遊技が予め定めた規定ラウンド数を上限（本実施形態では、２ラウンド又は１６ラウンド）として複数回行われる。１回のラウンド遊技は、大入賞口２０の開閉動作が所定回数（本実施形態では１回）行われるまでであり、１回のラウンド遊技中に大入賞口２０は、入球上限個数の遊技球が入球するまでの間、又は規定時間（ラウンド遊技時間）が経過するまでの間、開放される。また、ラウンド遊技では、ラウンド演出が行われる。そして、最終回のラウンド遊技が終了すると、大当り遊技の終了を示すエンディング演出が行われて大当り遊技が終了する。
【００４１】
本実施形態のパチンコ遊技機１では、大当り抽選に当選した場合、３種類の大当りの中から１つの大当りが決定され、その決定された大当りに基づく大当り遊技が付与される。３種類の大当りのうち、何れの大当りとするかは、大当り抽選に当選した場合に決定する特図（大当り図柄）の種類に応じて決定される。
【００４２】
図柄Ａ及び図柄ａには、特図１又は特図２の大当り図柄として５０種類がそれぞれ振分けられている。図柄Ｂ及び図柄ｂには、特図１又は特図２の大当り図柄として２５種類がそれぞれ振分けられている。図柄Ｃ及び図柄ｃには、特図１又は特図２の大当り図柄として２５種類がそれぞれ振分けられている。
【００４３】
図柄Ａ，ａの大当りは、１６ラウンド大当り遊技を付与するとともに、当選時の遊技状態に関係なく、大当り遊技終了後、次回大当り抽選に当選するまでの間、確変状態を付与する。その一方で、図柄Ａ，ａの大当りは、大当り抽選当選時の遊技状態に応じて、大当り遊技終了後に異なる条件下で変短状態を付与する。  第１特図変動ゲームで大当り抽選に当選し、かつ図柄Ａが決定された場合、大当り抽選当選時の遊技状態が「非変短状態」であるなら、変短上限回数を１０回とする変短状態を付与する。この変短上限回数「１０回」は、第１保留記憶数の上限数（４）又は第２保留記憶数の上限数（４）よりも多い回数であって、１００回よりも少ない回数となっている。一方、第１特図変動ゲームで大当り抽選に当選し、かつ図柄Ａが決定された場合、大当り抽選当選時の遊技状態が「変短状態」であるなら、次回大当り抽選に当選するまでの間、変短状態を付与する。また、第２特図変動ゲームで大当り抽選に当選し、かつ図柄ａが決定された場合、大当り抽選当選時の遊技状態が変短状態であるか否かに係わらず、次回大当り抽選に当選するまでの間、変短状態を付与する。以下の説明では、図柄Ａ，ａの大当りを「１６Ｒ確変大当り」と示す場合がある。
【００４４】
図柄Ｂ，ｂの大当りは、２ラウンド大当り遊技を付与するとともに、当選時の遊技状態に関係なく、大当り遊技終了後、次回大当り抽選に当選するまでの間、確変状態を付与する。その一方で、図柄Ｂ，ｂの大当りは、大当り抽選当選時の遊技状態に応じて、大当り遊技終了後に異なる条件下で変短状態を付与する。
【００４５】
具体的には、第１特図変動ゲーム又は第２特図変動ゲームで大当り抽選に当選し、かつ図柄Ｂ又は図柄ｂが決定された場合、大当り抽選当選時の遊技状態が「非変短状態」であるなら、第２特図変動ゲームの実行回数に係わらず、第１特図変動ゲームが４回実行されるまでの間、変短状態が付与される。つまり、変短状態中、第２特図変動ゲームが行われなければ、変短状態が付与される図柄変動ゲームの上限回数は、最短で「４回」となる。一方、なかなか第１特図変動ゲームが行われなければ、変短状態の終了条件が成立しないため、変短状態が付与される図柄変動ゲームの上限回数が、１００回よりも多くなることもある。また、「４回」という第１特図変動ゲームの実行回数は、第１保留記憶数の上限数（４）又は第２保留記憶数の上限数（４）と同一回数となっている。一方、第１特図変動ゲーム又は第２特図変動ゲームで大当り抽選に当選し、かつ図柄Ｂ又は図柄ｂが決定された場合、大当り抽選当選時の遊技状態が「変短状態」であるなら、次回大当り抽選に当選するまでの間、変短状態を付与する。以下の説明では、図柄Ｂ，ｂの大当りを「２Ｒ確変大当り」と示す場合がある。
【００４６】
図柄Ｃ，ｃの大当りは、１６ラウンド大当り遊技を付与するとともに、当選時の遊技状態に関係なく、大当り遊技終了後、確変状態を付与しない（非確変状態を付与する）。その一方で、図柄Ｃ，ｃの大当りは、大当り抽選当選時の遊技状態に応じて、大当り遊技終了後に異なる条件下で変短状態を付与する。
【００４７】
具体的には、第１特図変動ゲームで大当り抽選に当選し、かつ図柄Ｃが決定された場合、大当り抽選当選時の遊技状態が「非変短状態」であるなら、変短上限回数を１０回とする変短状態を付与する。一方、第１特図変動ゲームで大当り抽選に当選し、かつ図柄Ｃが決定された場合、大当り抽選当選時の遊技状態が「変短状態」であるなら、変短上限回数を１００回とする変短状態を付与する。また、第２特図変動ゲームで大当り抽選に当選し、かつ図柄ｃが決定された場合、大当り抽選当選時の遊技状態が変短状態であるか否かに係わらず、変短上限回数を１００回とする変短状態を付与する。以下の説明では、図柄Ｃ，ｃの大当りを「１６Ｒ非確変大当り」と示す場合がある。
【００４８】
そして、本実施形態では、変短状態の有無に応じて移行先の演出モードを予め対応付けている。本実施形態の演出モードとは、演出表示装置１１の表示態様によって、変短状態の有無を遊技者に報知するためのものである。また、演出表示装置１１では、飾図による図柄変動ゲームで表示される飾図を除いて構成し得るとともに、飾図よりも背面に表示される背景画像が、演出モード毎に設定されており、演出表示装置１１に表示される背景画像により各種演出モードを実行させ、背景画像の種類から現在滞在している演出モードの種類を遊技者が把握し得るようになっている。
【００４９】
本実施形態における演出モードとして、通常モードＭ１と、変短モードＭ２と、が設定されている。
通常モードＭ１は、非変短状態時に滞在する演出モードである一方、変短モードＭ２は、変短状態時に滞在する演出モードである。そして、変短モードＭ２に滞在する回数は、当選した大当りの種類や大当り抽選当選時の遊技状態によって異なるようになっている。
【００５０】
以下、図４に従って、演出モードの移行形態を大当りの種類毎に説明する。なお、図４におけるＡ，ａ，Ｂ，ｂ，Ｃ，ｃは、それぞれ図柄Ａ、図柄ａ、図柄Ｂ、図柄ｂ、図柄Ｃ、図柄ｃを指す。
【００５１】
最初に、１６Ｒ確変大当り（図柄Ａ，ａ）が決定されたときの移行形態について説明する。
「低確＋変短なし」又は「高確＋変短なし」の通常モードＭ１が設定されているときに１６Ｒ確変大当りが決定された場合、大当り遊技終了後、変短モードＭ２に移行する。なお、通常モードＭ１が設定されているときに第１特図変動ゲームで１６Ｒ確変大当り（図柄Ａ）が決定された場合、大当り遊技終了後、１１回目の図柄変動ゲームの開始時に、変短モードＭ２から通常モードＭ１に移行する。一方、通常モードＭ１が設定されているときに第２特図変動ゲームで１６Ｒ確変大当り（図柄ａ）が決定された場合、次回大当り抽選に当選するまで、変短モードＭ２が設定される。また、「低確＋変短あり」又は「高確＋変短あり」の変短モードＭ２が設定されているときに１６Ｒ確変大当りが決定された場合、大当り遊技終了後、次回大当り抽選に当選するまで、変短モードＭ２が設定される。
【００５２】
次に、２Ｒ確変大当り（図柄Ｂ，ｂ）が決定されたときの移行形態について説明する。
通常モードＭ１が設定されているときに２Ｒ確変大当りが決定された場合、大当り遊技終了後、変短モードＭ２に移行する。そして、第１特図変動ゲーム又は第２特図変動ゲームで２Ｒ確変大当り（図柄Ｂ又は図柄ｂ）が決定された場合、大当り遊技終了後、第１特図変動ゲームが合計４回行われた後、次の図柄変動ゲームに相当するＸ回目の図柄変動ゲームの開始時に、変短モードＭ２から通常モードＭ１に移行する。なお、第１特図変動ゲームが連続して行われれば、Ｘ回目の図柄変動ゲームとして、最短で、大当り遊技終了後、５回目の図柄変動ゲームで変短モードＭ２から通常モードＭ１に移行することになる。一方、変短モードＭ２が設定されているときに２Ｒ確変大当りが決定された場合、大当り遊技終了後、次回大当り抽選に当選するまで、変短モードＭ２が設定される。
【００５３】
次に、１６Ｒ非確変大当り（図柄Ｃ，ｃ）が決定されたときの移行形態について説明する。
通常モードＭ１が設定されているときに１６Ｒ非確変大当りが決定された場合、大当り遊技終了後、変短モードＭ２に移行する。そして、第１特図変動ゲームで１６Ｒ非確変大当り（図柄Ｃ）が決定された場合、大当り遊技終了後、１１回目の図柄変動ゲームの開始時に、変短モードＭ２から通常モードＭ１に移行する。一方、通常モードＭ１が設定されているときに第２特図変動ゲームで１６Ｒ非確変大当り（図柄ｃ）が決定された場合、大当り遊技終了後、１０１回目の図柄変動ゲームの開始時に、変短モードＭ２から通常モードＭ１に移行する。また、変短モードＭ２が設定されているときに１６Ｒ非確変大当りが決定された場合、再度、変短モードＭ２が設定される。
【００５４】
次に、パチンコ遊技機１の制御構成について図５を参照して説明する。
本実施形態のパチンコ遊技機１の機裏側には、パチンコ遊技機１全体を制御する主制御基板３０が配設されている。主制御基板３０は、パチンコ遊技機１全体を制御するための各種処理を実行するとともに、該処理結果に応じた各種の制御指令（制御コマンド）を出力する。また、機裏側には、統括制御基板３１と、表示制御基板３２とが配設されている。統括制御基板３１は、主制御基板３０が出力した制御信号（制御コマンド）に基づいて、表示制御基板３２を制御する。表示制御基板３２は、主制御基板３０と統括制御基板３１が出力した制御信号（制御コマンド）に基づいて、演出表示装置１１の表示態様（図柄、各種背景画像、文字、キャラクタなどの表示画像など）を制御する。
【００５５】
ここで、主制御基板３０、統括制御基板３１及び表示制御基板３２の具体的構成について以下に説明する。
まず、主制御基板３０について図５を参照して以下に説明する。
【００５６】
主制御基板３０には、制御動作を所定の手順で実行する主制御用ＣＰＵ３０ａと、主制御用ＣＰＵ３０ａのメイン制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ４が遊技球を検知して出力する検知信号を入力可能に接続されている。また、主制御用ＣＰＵ３０ａには、各種表示装置１２ａ，１２ｂ，１３ａ，１３ｂ，１４，１５と、各種ソレノイドＳＯＬ１，ＳＯＬ２が接続されている。
【００５７】
また、主制御用ＣＰＵ３０ａは、大当り判定用乱数、特図振分用乱数、リーチ判定用乱数、普図当り判定用乱数、変動パターン振分用乱数などの各種乱数の値を所定の周期毎に更新する乱数更新処理（乱数生成処理）を実行する。大当り判定用乱数は、大当り抽選（大当り判定）で用いる乱数である。特図振分用乱数は、大当り図柄となる特図を決定する場合に用いる乱数である。リーチ判定用乱数は、大当り抽選で大当りに当選しなかった場合、すなわちはずれの場合にリーチを形成するか否かのリーチ抽選（リーチ判定）で用いる乱数である。普図当り判定用乱数は、普図当り抽選で用いる乱数である。変動パターン振分用乱数は、図柄変動ゲームの変動パターンを選択する際に用いる乱数である。また、主制御用ＲＡＭ３０ｃには、パチンコ遊技機１の動作中に適宜書き換えられる各種情報（乱数値、タイマ値、フラグなど）が記憶（設定）される。
【００５８】
主制御用ＲＯＭ３０ｂには、メイン制御プログラム、各種の判定値（大当り判定値、リーチ判定値、普図当り判定値など）が記憶されている。大当り判定値は、大当り抽選で用いる判定値であり、大当り判定用乱数の取り得る数値（０〜６５５３５までの全６５５３６通りの整数）の中から定められている。本実施形態では、非確変状態用の大当り判定値として２２０個の値が設定されており、大当り抽選で当選する確率は６５５３６分の２２０となる。一方、本実施形態では、確変状態用の大当り判定値は、前記２２０個の値に１９８０個の値を加えた合計２２００個の値が設定されており、大当り抽選で当選する確率は６５５３６分の２２００となる。
【００５９】
また、リーチ判定値は、はずれを決定する場合にリーチを形成するか否かの内部抽選（リーチ判定）で用いる判定値であり、リーチ判定用乱数の取り得る数値（０〜２４０までの全２４１通りの整数）の中から定められている。普図当り判定値は、普図当り抽選で用いる判定値であり、普図当り判定用乱数の取り得る数値（０〜６５５３５までの全６５５３６通りの整数）の中から定められている。
【００６０】
また、主制御用ＲＯＭ３０ｂには、複数種類の変動パターンが記憶されている。変動パターンは、図柄（特図及び飾図）の変動が開始してから図柄（特図及び飾図）が確定停止表示されるまでの間の演出（表示演出、発光演出、音声演出）のベースとなるパターンであって、図柄変動ゲームの変動内容（演出内容）及び変動時間（演出時間）を特定し得る。本実施形態において、複数種類の変動パターンは、大当り変動用の変動パターン、はずれリーチ変動用の変動パターン、及びはずれ変動用の変動パターンに分類される。大当り変動は、大当り抽選に当選した場合に行われる変動である。そして、大当り変動では、特図変動ゲームにおいて最終的に大当り図柄を確定停止表示させる。一方、大当り変動では、飾図による図柄変動ゲームにおいて、最終的に大当り図柄を確定停止表示させる。なお、飾図による図柄変動ゲームでは、リーチ演出を経て、大当り図柄を導出させる。
【００６１】
はずれリーチ変動は、大当り抽選に当選せずに、リーチ抽選に当選した場合に行われ、特図変動ゲームにおいて最終的にはずれ図柄を確定停止表示させる。一方、はずれリーチ変動では、飾図による図柄変動ゲームにおいて、リーチ演出を経て、最終的にはずれ図柄を確定停止表示させる。はずれ変動は、大当り抽選及びリーチ抽選の何れにも当選しなかった場合に行われ、特図変動ゲームにおいて最終的にはずれ図柄を確定停止表示させる。一方、はずれ変動では、飾図による図柄変動ゲームにおいて、リーチ演出を経ないで、最終的にはずれ図柄を確定停止表示させる。なお、特図変動ゲームでは、特図の変動が開始されると、リーチ演出を行うことなく、変動時間の経過時まで特図の変動が継続される。そして、大当り変動用、はずれリーチ変動用及びはずれ変動用の変動パターンは、それぞれ複数種類あり、何れかが選択される。
【００６２】
以下、本実施形態のパチンコ遊技機１に設定された変動パターンの一部について図８に従って説明する。
図８は、変短状態時に選択可能な変動パターンを対応付けた変動パターン振分テーブルである。そして、変動パターン振分テーブルでは、いずれか１つの変動パターンを選択し得るように、各変動パターンに対して変動パターン振分用乱数の取り得る数値が対応付けられている。この変動パターン振分テーブルは、主制御用ＲＯＭ３０ｂに記憶されている。
【００６３】
変動パターンＰ１，Ｐ２は、変動内容として「通常変動」を定めるはずれ変動用の変動パターンである。「通常変動」では、図柄変動ゲームの開始後、各図柄列の図柄（飾図）が予め定めた変動停止順（本実施形態では、左列→右列→中列）に従って変動が停止されて図柄が導出される。また、変動パターンＰ１には、変動時間として「１０秒」が定められている一方で、変動パターンＰ２には、変動時間として「８秒」が定められている。また、変動パターンＰ３は、はずれリーチ変動用の変動パターンである一方、変動パターンＰ４は、大当り変動用の変動パターンである。これら変動パターンＰ３，Ｐ４には、同一のリーチ演出内容が定められている。
【００６４】
そして、変短状態時では、大当り抽選及びリーチ抽選に当選しなかった場合、図柄変動ゲーム開始時における保留記憶数に応じて異なる変動パターンが選択される。具体的に説明すると、第１特図変動ゲーム開始時の第１保留記憶数が「０」「１」である場合、変動パターンＰ１のみが選択可能となるように変動パターン振分用乱数の取り得る数値を対応付けている。また、第１特図変動ゲーム開始時の第１保留記憶数が「２」である場合、変動パターンＰ２よりも変動パターンＰ１に対して変動パターン振分用乱数の取り得る数値を多く対応付けている。また、第１特図変動ゲーム開始時の第１保留記憶数が「３」である場合、変動パターンＰ１よりも変動パターンＰ２に対して変動パターン振分用乱数の取り得る数値を多く対応付けている。
【００６５】
一方、第２特図変動ゲームの開始時は、第２保留記憶数の値にかかわらず、変動パターンＰ２のみが選択可能となるように変動パターン振分用乱数の取り得る数値を対応付けている。
【００６６】
なお、ここでは図示しないが、非変短状態時において、大当り抽選及びリーチ抽選に当選しなかった場合、変動パターンＰ１よりも変動時間が長く設定された（例えば、１２秒）変動パターンが選択可能となるように設定されている。そして、大当り抽選及びリーチ抽選に当選しなかった場合、変短状態時よりも非変短状態時において、変動時間が長く設定されたはずれ変動用の変動パターンが選択され易くなっている。
【００６７】
次に、統括制御基板３１について図５を参照して以下に説明する。
統括制御基板３１には、制御動作を所定の手順で実行する統括制御用ＣＰＵ３１ａと、統括制御用ＣＰＵ３１ａの制御プログラムを格納する統括制御用ＲＯＭ３１ｂと、必要なデータの書き込み及び読み出しができる統括制御用ＲＡＭ３１ｃが設けられている。また、統括制御用ＲＡＭ３１ｃには、パチンコ遊技機１の動作中に適宜書き換えられる各種情報（乱数値、タイマ値、フラグなど）が記憶（設定）される。また、統括制御用ＣＰＵ３１ａには、表示制御基板３２が接続されている。統括制御用ＣＰＵ３１ａは、各種制御コマンドを入力すると、統括制御プログラムに基づいて各種制御を実行する。
【００６８】
次に、表示制御基板３２について図５を参照して以下に説明する。
表示制御基板３２には、制御動作を所定の手順で実行する表示制御用ＣＰＵ３２ａと、表示制御用ＣＰＵ３２ａの制御プログラムを格納する表示制御用ＲＯＭ３２ｂと、必要なデータの書き込み及び読み出しができる表示制御用ＲＡＭ３２ｃが設けられている。表示制御用ＣＰＵ３２ａには、演出表示装置１１が接続されている。また、表示制御用ＲＯＭ３２ｂには、各種の画像データ（図柄、背景、文字、キャラクタなどの画像データ）が記憶されている。さらに、表示制御用ＲＡＭ３２ｃには、パチンコ遊技機１の動作中に適宜書き換えられる各種情報（タイマ値、フラグなど）が記憶（設定）される。表示制御用ＣＰＵ３２ａは、各種制御コマンドを入力すると、表示制御プログラムに基づいて各種制御を実行する。
【００６９】
以下、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば、４ｍｓ）毎に特別図柄入力処理や特別図柄開始処理などの各種処理を実行する。なお、特別図柄開始処理は、特別図柄入力処理の終了後に実行される。
【００７０】
最初に、特別図柄入力処理について、図６に従って説明する。
主制御用ＣＰＵ３０ａは、第１始動入賞口１６に遊技球が入球したか否かを判定する（ステップＳ１）。すなわち、ステップＳ１において主制御用ＣＰＵ３０ａは、第１始動口スイッチＳＷ１が遊技球を検知した時に出力する第１検知信号を入力したか否かを判定する。ステップＳ１の判定結果が否定の場合、主制御用ＣＰＵ３０ａは、ステップＳ５へ移行する。一方、ステップＳ１の判定結果が肯定の場合、主制御用ＣＰＵ３０ａは、主制御用ＲＡＭ３０ｃに記憶されている第１保留記憶数が上限数の４未満であるか否かを判定する（ステップＳ２）。ステップＳ２の判定結果が否定の場合、主制御用ＣＰＵ３０ａは、ステップＳ５へ移行する。
【００７１】
ステップＳ２の判定結果が肯定の場合、主制御用ＣＰＵ３０ａは、第１保留記憶数を１加算し、第１保留記憶数を書き換える（ステップＳ３）。このとき、主制御用ＣＰＵ３０ａは、１加算後の第１保留記憶数を表すように第１特別図柄保留表示装置１３ａの表示内容を制御する。続いて、主制御用ＣＰＵ３０ａは、大当り判定用乱数と、特図振分用乱数と、リーチ判定用乱数と、変動パターン振分用乱数の値を主制御用ＲＡＭ３０ｃから読み出して取得し、該値を主制御用ＲＡＭ３０ｃに設定する（ステップＳ４）。詳細は後述する。その後、主制御用ＣＰＵ３０ａは、大当り判定用乱数など各種乱数の値を設定した記憶領域において、入球検知された始動入賞口を判別するための入賞口フラグに、遊技球が入球した始動入賞口が第１始動入賞口１６であることを示す値「０」を設定する（ステップＳ４ａ）。
【００７２】
次に、主制御用ＣＰＵ３０ａは、第２始動入賞口１７に遊技球が入球したか否かを判定する（ステップＳ５）。すなわち、ステップＳ５において主制御用ＣＰＵ３０ａは、第２始動口スイッチＳＷ２が遊技球を検知した時に出力する第２検知信号を入力したか否かを判定する。ステップＳ５の判定結果が否定の場合、主制御用ＣＰＵ３０ａは、特別図柄入力処理を終了する。一方、ステップＳ５の判定結果が肯定の場合、主制御用ＣＰＵ３０ａは、主制御用ＲＡＭ３０ｃに記憶されている第２保留記憶数が上限数の４未満であるか否かを判定する（ステップＳ６）。ステップＳ６の判定結果が否定の場合、主制御用ＣＰＵ３０ａは、特別図柄入力処理を終了する。
【００７３】
ステップＳ６の判定結果が肯定の場合、主制御用ＣＰＵ３０ａは、第２保留記憶数を１加算し、第２保留記憶数を書き換える（ステップＳ７）。このとき、主制御用ＣＰＵ３０ａは、１加算後の第２保留記憶数を表すように第２特別図柄保留表示装置１３ｂの表示内容を変更させる。続いて、主制御用ＣＰＵ３０ａは、大当り判定用乱数の値と、特図振分用乱数の値と、リーチ判定用乱数の値と、変動パターン振分用乱数の値を主制御用ＲＡＭ３０ｃから読み出して取得し、該値を主制御用ＲＡＭ３０ｃに設定する（ステップＳ８）。詳細は後述する。その後、主制御用ＣＰＵ３０ａは、大当り判定用乱数など各種乱数の値を設定した記憶領域において、入賞口フラグに、遊技球が入球した始動入賞口が第２始動入賞口１７であることを示す値「１」を設定する（ステップＳ８ａ）。その後、主制御用ＣＰＵ３０ａは、特別図柄入力処理を終了する。
【００７４】
本実施形態において主制御用ＲＡＭ３０ｃの記憶領域には、第１保留記憶数の上限値（４）と第２保留記憶数の上限値（４）とを合算した数に応じて８つの記憶領域が区分設定されている。そして、取得済みの各種乱数の値と入賞口フラグの値は、第１始動入賞口１６又は第２始動入賞口１７に入球した順に、８つの記憶領域に順次保存されるようになっている。例えば、８つの記憶領域のうち２つの領域（１番目と２番目の記憶領域）が先に埋まっていれば、次の空き領域である３番目の記憶領域に各種乱数の値が保存されるとともに入賞口フラグに入球した始動入賞口を示す値が設定される。このように、本実施形態では、第１始動入賞口１６又は第２始動入賞口１７に入球した順に、取得済みの各種乱数の値を保存しているが、各記憶領域において入球した始動入賞口を示す値が入賞口フラグに設定されるため、主制御用ＣＰＵ３０ａは、第１始動入賞口１６又は第２始動入賞口１７に遊技球が入球した順番を把握可能となっている。
【００７５】
本実施形態では、ステップＳ３，Ｓ７の処理により、第１始動入賞口１６又は第２始動入賞口１７に入球した遊技球は始動保留球として主制御用ＲＡＭ３０ｃに記憶されることから、主制御用ＲＡＭ３０ｃは、第１始動口スイッチＳＷ１で検知された遊技球を第１始動保留球として記憶する第１保留記憶手段として機能する。同様に、主制御用ＲＡＭ３０ｃは、第２始動口スイッチＳＷ２で検知された遊技球を第２始動保留球として記憶する第２保留記憶手段として機能する。
【００７６】
次に、特別図柄開始処理について図７に基づき説明する。
主制御用ＣＰＵ３０ａは、まず、図柄（特図及び飾図）が変動表示中であるか否か、又は大当り遊技中であるか否か判定する（ステップＳ１１）。ステップＳ１１の判定結果が肯定の場合、主制御用ＣＰＵ３０ａは、特別図柄開始処理を終了する。
【００７７】
一方、ステップＳ１１の判定結果が否定の場合、主制御用ＣＰＵ３０ａは、第１保留記憶数と第２保留記憶数の合算数を読み出し（ステップＳ１２）、合算した保留記憶数が「０」よりも大きいか否かを判定する（ステップＳ１３）。ステップＳ１３の判定結果が否定の場合、特別図柄開始処理を終了する。
【００７８】
一方、ステップＳ１３の判定結果が肯定の場合、主制御用ＣＰＵ３０ａは、合算した保留記憶数から「１」減算（−１）する（ステップＳ１４）。また、ステップＳ１４において主制御用ＣＰＵ３０ａは、入賞口フラグによって特定した方の図柄変動ゲームに対応する第１保留記憶数又は第２保留記憶数から１減算する。すなわち、入賞口フラグの値が「０」であれば、第１保留記憶数から１減算する一方で、入賞口フラグの値が「１」であれば、第２保留記憶数から１減算する。そして、主制御用ＣＰＵ３０ａは、当該保留記憶数に対応付けられて主制御用ＲＡＭ３０ｃの所定の記憶領域に記憶されている大当り判定用乱数、特図振分用乱数、リーチ判定用乱数、及び変動パターン振分用乱数の値を取得する（ステップＳ１５）。
【００７９】
より詳しくは、主制御用ＣＰＵ３０ａは、最も早く記憶した保留記憶数「１」に対応付けられた記憶領域に記憶されている各種乱数を読み出す。なお、前述したように、各記憶領域には、入賞口フラグに「０」又は「１」の値が設定されている。よって、主制御用ＣＰＵ３０ａは、入賞口フラグに設定された値を確認することで、開始させようとしている特図変動ゲームが第１特図変動ゲーム又は第２特図変動ゲームであるのかを判別することができる。
【００８０】
また、主制御用ＣＰＵ３０ａは、乱数を読み出した後、保留記憶数「２」に対応付けられた記憶領域に記憶されている各種乱数及び入賞口フラグの値を保留記憶数「１」に対応付けられた記憶領域に記憶する。同様に、主制御用ＣＰＵ３０ａは、保留記憶数「３」に対応付けられた記憶領域に記憶されている各種乱数及び入賞口フラグの値を保留記憶数「２」に対応付けられた記憶領域に記憶する。同様に、主制御用ＣＰＵ３０ａは、保留記憶数「４」に対応付けられた記憶領域に記憶されている各種乱数及び入賞口フラグの値を保留記憶数「３」に対応付けられた記憶領域に記憶する。同様に、主制御用ＣＰＵ３０ａは、保留記憶数「５」に対応付けられた記憶領域に記憶されている各種乱数及び入賞口フラグの値を保留記憶数「４」に対応付けられた記憶領域に記憶する。同様に、主制御用ＣＰＵ３０ａは、保留記憶数「６」に対応付けられた記憶領域に記憶されている各種乱数及び入賞口フラグの値を保留記憶数「５」に対応付けられた記憶領域に記憶する。同様に、主制御用ＣＰＵ３０ａは、保留記憶数「７」に対応付けられた記憶領域に記憶されている各種乱数及び入賞口フラグの値を保留記憶数「６」に対応付けられた記憶領域に記憶する。同様に、主制御用ＣＰＵ３０ａは、保留記憶数「８」に対応付けられた記憶領域に記憶されている各種乱数及び入賞口フラグの値を保留記憶数「７」に対応付けられた記憶領域に記憶する。
【００８１】
また、主制御用ＣＰＵ３０ａは、各種乱数及び入賞口フラグの値を読み出した後、保留記憶数「１」に対応付けられた記憶領域に記憶されている各種乱数及び入賞口フラグの値を消去する。また、主制御用ＣＰＵ３０ａは、保留記憶数を１減算した際、１減算後の保留記憶数を表すように対応する特別図柄保留表示装置１３ａ，１３ｂの表示内容を制御する。
【００８２】
次に、主制御用ＣＰＵ３０ａは、取得した大当り判定用乱数の値が主制御用ＲＯＭ３０ｂに記憶されている大当り判定値と一致するか否かを判定して大当り判定（大当り抽選）を行う（ステップＳ１６）。なお、本実施形態において、大当り判定値は、確変状態が付与されているか否かで変更されるが、第１特図変動ゲーム及び第２特図変動ゲームにおいて大当り判定が肯定判定される確率は、同一確率としている。
【００８３】
ステップＳ１６の判定結果が肯定の場合、主制御用ＣＰＵ３０ａは、大当りの変動であることを示す大当りフラグに［１］を設定する（ステップＳ１７）。そして、主制御用ＣＰＵ３０ａは、取得した特図振分用乱数の値に基づき、特図による大当り図柄の中から、入賞口フラグで特定される特図変動ゲームに対応する特別図柄表示装置１２ａ，１２ｂにて確定停止表示させる確定停止図柄を決定する（ステップＳ１８）。その後、主制御用ＣＰＵ３０ａは、取得した変動パターン振分用乱数の値に基づいて大当り変動用の変動パターンを決定する（ステップＳ１９）。続いて、主制御用ＣＰＵ３０ａは、ステップＳ２０に移行する。
【００８４】
一方、ステップＳ１６の判定結果が否定の場合、主制御用ＣＰＵ３０ａは、リーチ演出を実行させるか否かを判定するリーチ判定を行う（ステップＳ２１）。主制御用ＣＰＵ３０ａは、ステップＳ１５において主制御用ＲＡＭ３０ｃから取得したリーチ判定用乱数が、リーチ判定値に一致するか否かにより当選判定を行う。
【００８５】
ステップＳ２１の判定結果が肯定の場合、主制御用ＣＰＵ３０ａは、入賞口フラグで特定される特図変動ゲームに対応する特別図柄表示装置１２ａ，１２ｂにて確定停止表示させる確定停止図柄としてはずれ図柄を決定する（ステップＳ２２）。次に、主制御用ＣＰＵ３０ａは、取得した変動パターン振分用乱数の値に基づいてはずれリーチ変動用の変動パターンを決定する（ステップＳ２３）。続いて、主制御用ＣＰＵ３０ａは、ステップＳ２０に移行する。
【００８６】
一方、ステップＳ２１の判定結果が否定の場合、主制御用ＣＰＵ３０ａは、入賞口フラグで特定される特図変動ゲームに対応する特別図柄表示装置１２ａ，１２ｂにて確定停止表示させる確定停止図柄としてはずれ図柄を決定する（ステップＳ２４）。次に、主制御用ＣＰＵ３０ａは、取得した変動パターン振分用乱数の値に基づいてはずれ変動用の変動パターンを決定する（ステップＳ２５）。続いて、主制御用ＣＰＵ３０ａは、ステップＳ２０に移行する。
【００８７】
ステップＳ２０に移行した主制御用ＣＰＵ３０ａは、統括制御基板３１（統括制御用ＣＰＵ３１ａ）に対し、所定の制御コマンドを所定のタイミングで出力する等、入賞口フラグで特定される図柄変動ゲームに関する各種処理を実行する。具体的に言えば、主制御用ＣＰＵ３０ａは、変動パターンを指示するとともに図柄変動ゲームの開始を指示する変動パターン指定コマンドを最初に出力する。同時に、主制御用ＣＰＵ３０ａは、特図を変動開始させるように、入賞口フラグで特定される特別図柄表示装置１２ａ，１２ｂの表示内容を制御する。また、同時に、主制御用ＣＰＵ３０ａは、図柄変動ゲームの変動時間の計測を開始する。また、主制御用ＣＰＵ３０ａは、特図を指示する特図指定コマンドを出力する。そして、主制御用ＣＰＵ３０ａは、特別図柄開始処理を終了する。なお、特別図柄開始処理とは別の処理で、主制御用ＣＰＵ３０ａは、指定した変動パターンに定められている変動時間に基づいて、決定した確定停止図柄を表示させるように、入賞口フラグで特定される特別図柄表示装置１２ａ，１２ｂの表示内容を制御する。また、主制御用ＣＰＵ３０ａは、指定した変動パターンに定められている変動時間に基づいて、飾図の変動停止を指示し、図柄組み合わせを確定停止表示させるための全図柄停止コマンドを出力する。ちなみに、変動パターン指定コマンド、特図指定コマンド、全図柄停止コマンドは、特図１用と特図２用にそれぞれ設定されている。
【００８８】
本実施形態では、ステップＳ１６の処理を実行して大当り判定を行う主制御用ＣＰＵ３０ａが、当り判定手段として機能する。また、ステップＳ１８の処理によって大当り図柄が決定されるため、主制御用ＣＰＵ３０ａが、当り決定手段として機能する。
【００８９】
前述したような特別図柄開始処理を実行することにより、本実施形態のパチンコ遊技機１では、第１始動入賞口１６又は第２始動入賞口１７に入球した順に、第１図柄変動ゲーム又は第２図柄変動ゲームが実行されることになる。
【００９０】
このように始動入賞口に入球した順に第１図柄変動ゲーム又は第２図柄変動ゲームを実行させる仕様としていても、変短状態中は、非変短状態中に比して第２始動入賞口１７に遊技球が入球し易い。よって、変短状態中は、第２図柄変動ゲームを中心に図柄変動ゲームが実行され易くなる。ただし、前述したように、第２始動入賞口１７を狙って遊技球を発射させた場合、第１始動入賞口１６にも遊技球が入球し得るようになっている。よって、変短状態中であっても第１始動入賞口１６に遊技球が入球し得ることもある。なお、前述したように、非変短状態時の第１図柄変動ゲームで大当り抽選に当選したことで付与される変短上限回数は、非変短状態時の第２図柄変動ゲームで大当り抽選に当選したことで付与される変短上限回数以下である。よって、第１図柄変動ゲームで第２図柄変動ゲームと同等の変短上限回数を獲得するためには、変短状態中に大当り抽選にて大当りと判定されなければならない。
【００９１】
ところが、本実施形態では、第１始動入賞口１６又は第２始動入賞口１７に入球した順に第１図柄変動ゲーム又は第２図柄変動ゲームを実行させている。このため、非変短状態時に当選した２Ｒ確変大当りに基づく大当り遊技終了後に、第１図柄変動ゲーム又は第２図柄変動ゲームが合計４回実行されたことで変短状態を終了させてしまうと、第１始動入賞口１６への入球順序によっては、変短状態の終了後に、その入球した遊技球に基づく第１図柄変動ゲームが実行されることがある。このような場合、変短状態中に入球したにもかかわらず、その入球順序によって変短状態の終了後に大当り抽選が行われることになる。そして、非変短状態中の大当り抽選で当選したことにより、変短上限回数としては、変短状態時に当選したときよりも少ない回数（例えば、１０回）しか決定されず、変短状態中に入球した遊技球に基づく第１図柄変動ゲームで多い回数の変短状態を獲得し損ねることになる。
【００９２】
そこで、本実施形態のパチンコ遊技機１では、変短状態中に第１始動入賞口１６に入球し、第１始動保留球として記憶された遊技球に基づく第１図柄変動ゲームを不利としないために、以下のような設定を採用した。すなわち、特定の大当り（本実施形態では、２Ｒ確変大当り）に基づく大当り遊技終了後、第１特図変動ゲームが４回実行されるまで、変短状態（特別状態）を終了させないようにした。これによれば、変短状態（特別状態）中に第１始動入賞口１６に入球し、第１始動保留球として記憶された遊技球に基づく第１図柄変動ゲームが、特別状態が生起されてから４回目以内の第１図柄変動ゲームとなるのであれば、変短状態時に大当り抽選に当選したときと同等の利益を得ることが可能となる。
【００９３】
以下の説明では、「非変短状態時に当選した２Ｒ確変大当りに基づく変短状態」を「特別状態」と示す場合がある。なお、「特別状態ではない遊技状態」には、非変短状態中と、特別状態を除く変短状態中を含む。特別状態ではない変短状態とは、変短状態時に当選した２Ｒ確変大当りに基づく変短状態中と、当選時の遊技状態に係わらず、１６Ｒ確変大当り又は１６Ｒ非確変大当りに当選したことで付与された変短状態中を含む。また、「非変短状態時に２Ｒ確変大当りに当選したことで付与される変短状態」と、「変短状態時に２Ｒ確変大当りに当選したことで付与される変短状態」及び「１６Ｒ確変大当り又は１６Ｒ非確変大当りに当選したことで付与される変短状態」は、どちらも同じ変短状態である。ただし、本実施形態では、これらの変短状態を区別するため、「非変短状態時に２Ｒ確変大当りに当選したことで付与される変短状態」を「特別状態」と示す。その一方、「変短状態時に２Ｒ確変大当りに当選したことで付与される変短状態」及び「１６Ｒ確変大当り又は１６Ｒ非確変大当りに当選したことで付与される変短状態」を「通常変短状態」と示す場合がある。
【００９４】
ちなみに、非変短状態時の第１図柄変動ゲームで１６Ｒ確変大当り（図柄Ａ）や１６Ｒ非確変大当り（図柄Ｃ）に当選した場合、次回大当り抽選に当選するまでではなく、予め定めた回数（この例では１０回）の図柄変動ゲームが実行されることを契機として変短状態（通常変短状態）が終了するようになっている。よって、非変短状態時の第１図柄変動ゲームで１６Ｒ確変大当りや１６Ｒ非確変大当りに当選したことで付与された変短状態（通常変短状態）中に第１始動入賞口１６に遊技球が入球した場合も、前述したような状況と同じ状況となり得る。すなわち、入球したときには変短状態（通常変短状態）が付与されていたが、実際に第１図柄変動ゲームが開始されるときには変短状態（通常変短状態）が終了することもあり得る。
【００９５】
しかしながら、非変短状態時の第１図柄変動ゲームで１６Ｒ確変大当りや１６Ｒ非確変大当りに当選した場合に変短状態（通常変短状態）の付与対象となる図柄変動ゲーム数は、第１保留記憶数の上限値（４）よりも多い。よって、例えば、非変短状態時に当選した２Ｒ確変大当りに基づく大当り遊技終了後に、第１図柄変動ゲーム又は第２図柄変動ゲームが合計４回実行されたことで変短状態（特別状態）を終了させてしまうと、４回の変短状態（特別状態）中、第１図柄変動ゲームが実行される確率は極めて低い。すなわち、第１始動保留球よりも先に第２始動保留球が４球記憶され易く、変短状態（特別状態）は、４回の第２図柄変動ゲームを対象として付与され易い。
【００９６】
一方、非変短状態時の第１図柄変動ゲームで１６Ｒ確変大当りや１６Ｒ非確変大当りに当選した場合、１０回の変短状態（通常変短状態）中に第１図柄変動ゲームが実行される確率は、非変短状態時に２Ｒ確変大当りに当選した場合における変短状態（特別状態）中に、第１図柄変動ゲームが実行される確率に比して高い。すなわち、第１始動保留球よりも先に第２始動保留球が４球記憶されたとしても、４回の第２図柄変動ゲームを対象として変短状態（通常変短状態）が付与された後、入球順序により、第１図柄変動ゲームを対象として変短状態（通常変短状態）が付与される可能性が高いからである。したがって、本実施形態では、変短状態中（特別状態）に第１始動入賞口１６に入球した遊技球に基づく図柄変動ゲームが変短状態中に実行され難い２Ｒ確変大当りに当選した場合、第１特図変動ゲームが４回実行されるまで、変短状態（特別状態）を終了させないようにした。
【００９７】
以下、大当り遊技終了後の遊技状態に関して主制御用ＣＰＵ３０ａが実行する制御を説明する。
主制御用ＣＰＵ３０ａは、大当り遊技終了後に確変状態を付与する場合には確変フラグに「１」を設定するとともに、確変状態であることを指示する確変コマンドを出力する。一方、主制御用ＣＰＵ３０ａは、大当り遊技終了後に確変状態を付与しない場合には確変フラグに「０」を設定するとともに、非確変状態であることを指示する非確変コマンドを出力する。
【００９８】
また、主制御用ＣＰＵ３０ａは、変短状態を付与する場合には作動フラグに「１」を設定するとともに、変短状態であることを指示する作動コマンドを出力する。一方、主制御用ＣＰＵ３０ａは、変短状態を付与しない場合には作動フラグに「０」を設定するとともに、非変短状態であることを指示する非作動コマンドを出力する。また、主制御用ＣＰＵ３０ａは、変短状態を付与する場合、非変短状態時の図柄変動ゲームで２Ｒ確変大当りに当選した場合を除き、大当りの種類毎に設定された変短上限回数を、作動回数として主制御用ＲＡＭ３０ｃの所定の記憶領域に設定する。そして、主制御用ＣＰＵ３０ａは、特図変動ゲームが実行される毎に作動回数を「１」減算し、値が「０」となると、特図変動ゲームの終了時に作動フラグに「０」を設定し、非作動コマンドを出力する。
【００９９】
また、主制御用ＣＰＵ３０ａは、大当り遊技を実行させた場合、大当り遊技終了後、決定した大当りの種類と当選時の遊技状態に応じて、特別状態中であるか否かを管理するための特別状態フラグにいずれかの値を設定する。非変短状態時の図柄変動ゲームで２Ｒ確変大当りに当選した場合、主制御用ＣＰＵ３０ａは、特別状態フラグに、特別状態であることを示す値「１」を設定する。一方、当選時の遊技状態が変短状態である場合や、非変短状態時の図柄変動ゲームで当選した大当りが、２Ｒ確変大当りではない場合、主制御用ＣＰＵ３０ａは、特別状態フラグに、特別状態ではないことを示す値「０」を設定する。
【０１００】
以下、大当り遊技終了後に付与する変短状態の付与回数を決定するために行う変短設定処理の流れについて、図９に従って説明する。なお、主制御用ＣＰＵ３０ａは、当該処理を、大当り遊技の終了を指示するエンディングコマンドを出力したことを契機に開始し、その後、図柄変動ゲームを実行させる度（全図柄停止コマンドを出力する度）に実行するようになっている。
【０１０１】
まず、主制御用ＣＰＵ３０ａは、特別状態フラグに「１」が設定されているか否かを判定する（ステップＳ３０）。これにより、主制御用ＣＰＵ３０ａは、現在の遊技状態が特別状態であるか否かを判定することになる。ステップＳ３０の判定結果が肯定の場合、主制御用ＣＰＵ３０ａは、直近で指示した変動パターンを確認し、大当りの図柄変動ゲームではないか否かを判定する（ステップＳ３１）。主制御用ＣＰＵ３０ａは、大当り変動用の変動パターンを指示している場合、ステップＳ３１を否定判定する一方で、はずれリーチ変動用の変動パターン又ははずれ変動用の変動パターンを指示している場合、ステップＳ３１を肯定判定する。
【０１０２】
ステップＳ３１の判定結果が肯定の場合、主制御用ＣＰＵ３０ａは、直近で指示した変動パターンが、特図１用の変動パターンであるか否かを確認することで、判定対象となる図柄変動ゲームが第１図柄変動ゲームであるか否かを確認する（ステップＳ３２）。ステップＳ３２の判定結果が否定の場合、判定対象となる図柄変動ゲームが第２図柄変動ゲームとなるため、主制御用ＣＰＵ３０ａは、変短設定処理を終了する。
【０１０３】
一方、ステップＳ３２の判定結果が肯定の場合、主制御用ＣＰＵ３０ａは、特別状態が生起されてから実行された第１図柄変動ゲームの実行回数が４回未満であるか否かを確認する（ステップＳ３３）。ステップＳ３３の判定結果が肯定の場合、主制御用ＣＰＵ３０ａは、特別状態が生起されてから実行された第１図柄変動ゲームの実行回数を１加算し（ステップＳ３４）、変短設定処理を終了する。その一方で、ステップＳ３３の判定結果が否定の場合、主制御用ＣＰＵ３０ａは、特別状態が生起されてから実行された第１図柄変動ゲームの実行回数が４回に到達したことにより、図柄変動ゲームの終了時に、作動フラグ及び特別状態フラグに、それぞれ「０」を設定する（ステップＳ３５）。また、主制御用ＣＰＵ３０ａは、非作動コマンドを送信バッファに設定し（ステップＳ３６）、変短設定処理を終了する。
【０１０４】
これにより、主制御用ＣＰＵ３０ａは、非変短状態時に２Ｒ確変大当りに当選した場合、非変短状態時に２Ｒ確変大当りに当選したことで生起された特別状態中、第２図柄変動ゲームの実行回数に係わらず、第１図柄変動ゲームの実行回数が４回に到達したことを契機に、変短状態（特別状態）を終了させることになる。つまり、大当り遊技終了後に第２図柄変動ゲームが何回実行されたとしても、主制御用ＣＰＵ３０ａは、第２図柄変動ゲームの実行回数に基づいて変短状態（特別状態）を終了させない。したがって、第１図柄変動ゲームの実行回数が４回に到達するまで継続されることから、特別状態は、間に実行される第２図柄変動ゲームの実行回数に応じて変動することになる。
【０１０５】
一方、ステップＳ３０の判定結果が否定の場合、非変短状態時に２Ｒ確変大当りに当選したことで生起された特別状態中ではないことになる。次に、主制御用ＣＰＵ３０ａは、直近の大当りとして、変短上限回数が設定されていたかを判定する（ステップＳ３７）。すなわち、主制御用ＣＰＵ３０ａは、非変短状態時の第１図柄変動ゲームで１６Ｒ確変大当り又は１６Ｒ非確変大当りに当選したか否か（変短上限回数が１０回）、又は第２図柄変動ゲームで１６Ｒ非確変大当りに当選したか否か（変短上限回数が１００回）を判定する。
【０１０６】
ステップＳ３７の判定結果が肯定の場合、主制御用ＣＰＵ３０ａは、変短上限回数に到達していないか否か、すなわち、今回の制御周期で実行される図柄変動ゲームが、変短上限回数に相当する回数目の図柄変動ゲームでないか否かを判定する（ステップＳ３８）。ステップＳ３８の判定結果が否定の場合、今回の制御周期で実行される図柄変動ゲームで変短上限回数に到達したことになるため、変短状態（通常変短状態）を終了させるために、主制御用ＣＰＵ３０ａは、ステップＳ３５に移行する。一方、ステップＳ３８の判定結果が肯定の場合、今回の制御周期で実行される図柄変動ゲームで変短上限回数に到達していないことになる。このため、主制御用ＣＰＵ３０ａは、作動回数から１減算する（ステップＳ３９）。次に、主制御用ＣＰＵ３０ａは、１減算後の作動回数が「０」になったか否かを判定する（ステップＳ４０）。この判定結果が肯定の場合、変短上限回数に到達したことにより、主制御用ＣＰＵ３０ａは、変短状態を終了させるため、ステップＳ３５に移行する。一方、ステップＳ４０の判定結果が否定の場合、変短上限回数に到達していないため、主制御用ＣＰＵ３０ａは、変短設定処理を終了する。つまり、ステップＳ３２では、第２図柄変動ゲームの実行を契機に作動回数を１減算していなかったが、ステップＳ３９では、第１図柄変動ゲーム又は第２図柄変動ゲームであるかを問わず、作動回数を１減算している。
【０１０７】
また、ステップＳ３７の判定結果が否定の場合、今回の制御周期で実行される図柄変動ゲームが、次回大当り抽選に当選するまで変短状態が付与されている期間中に行われる図柄変動ゲームとなる。これにより、主制御用ＣＰＵ３０ａは、ステップＳ３１同様、指示した変動パターンを確認し、大当りの図柄変動ゲームではないか否かを判定する（ステップＳ４１）。ステップＳ４１の判定結果が否定の場合、主制御用ＣＰＵ３０ａは、変短状態（通常変短状態）を終了させるためにステップＳ３５に移行する。一方、ステップＳ４１の判定結果が肯定の場合、主制御用ＣＰＵ３０ａは、変短設定処理を終了する。これにより、第２図柄変動ゲームで大当り抽選に当選した場合（１６Ｒ非確変大当りを除く）や、変短状態時に大当り抽選に当選した場合は、次回大当り抽選に当選するまで、変短状態（通常変短状態）が付与されることになる。これにより、主制御用ＣＰＵ３０ａは、ステップＳ３９のように作動回数を１減算することなく、変短設定処理を終了する。
【０１０８】
このように、本実施形態では、非変短状態時に２Ｒ確変大当りに当選した場合、第２図柄変動ゲームの実行回数に係わらず、第１図柄変動ゲームが第１保留記憶数の上限値と同一回数実行されるまで、変短状態（特別状態）を付与するようになっている。これにより、大当り遊技の開始前や大当り遊技中、さらには変短状態（特別状態）中に第１始動入賞口１６に入球し、第１始動保留球として記憶された遊技球に基づく第１図柄変動ゲームは、特別状態が生起されてから４回目以内の第１図柄変動ゲームとなるのであれば、変短状態時に大当り抽選に当選したときと同等の利益を得ることが可能となる。
【０１０９】
また、本実施形態では、非変短状態時に２Ｒ確変大当りに当選したことによって生起された特別状態中、第２図柄変動ゲームの実行回数によって変短状態（特別状態）を終了させないようになっている。これにより、第１図柄変動ゲームの実行回数が４回に到達するまでの間、第２図柄変動ゲームが連続して実行されると、非変短状態時の第１図柄変動ゲームで１６Ｒ確変大当り又は１６Ｒ非確変大当りに当選した場合（１０回）よりも多い回数の図柄変動ゲームを対象として変短状態（特別状態）が付与されることもある。なお、非変短状態時に第１図柄変動ゲームで１６Ｒ確変大当り又は１６Ｒ非確変大当りに当選したことによって生起された変短状態（通常変短状態）は、最大、１０回の図柄変動ゲームを対象として付与される。そして、非変短状態時に第１図柄変動ゲームで１６Ｒ確変大当り又は１６Ｒ非確変大当りに当選したことによって生起された変短状態（通常変短状態）は、実行された図柄変動ゲームが第１図柄変動ゲーム又は第２図柄変動ゲームであるか否かを問わず、図柄変動ゲームが実行される度に作動回数から１減算されるようになっている。
【０１１０】
ちなみに、第２図柄変動ゲームでは、非変短状態時における第２図柄変動ゲームで図柄ｂが決定された場合を除き、大当り抽選当選時の遊技状態に係わらず、「１００回」又は次回大当り抽選に当選するまで、変短状態（通常変短状態）が付与される。したがって、特別状態終了後の非変短状態中の第２図柄変動ゲームで大当り抽選に当選したとしても、特別状態中に大当り抽選に当選した場合と同じ回数の図柄変動ゲームで変短状態（通常変短状態）が付与されることになる。なお、特別状態中、再度、２Ｒ確変大当りに当選したとしても、変短状態が付与されている期間中に当選したことで、次回大当り抽選に当選するまで、変短状態（通常変短状態）が付与される。よって、２Ｒ確変大当りに連続で当選しても、遊技者に不利な状況とはならない。
【０１１１】
また、本実施形態では、図８で説明したように、第２図柄変動ゲームで大当り抽選及びリーチ抽選に当選しなかった場合、変短状態時であっても、変動時間として「８秒」を特定する変動パターンＰ２が選択される。これにより、変短状態中に第１保留記憶数が「０」となっても、変動時間が「８秒」と長いため、第２図柄変動ゲームの実行中に第１始動入賞口１６に遊技球を入球させるチャンスが与えられることになる。ちなみに、本実施形態では、発射ハンドルＨＤの回動状態を保持することにより１分間に１００個の遊技球を連続的に発射可能とされており、０．６秒間隔で遊技球が発射されることとなる。このため、発射ハンドルＨＤの回動状態を保持した状態において、発射された遊技球が８秒以内に始動入賞口１６，１７に到達することは、計算上、可能である。また、第１図柄変動ゲームで大当り抽選及びリーチ抽選に当選しなかった場合も、変動時間として「８秒」又は「１０秒」を特定する変動パターンＰ１，Ｐ２が選択される。これにより、変短状態中に第１保留記憶数が「０」となっても、遊技球の発射間隔「０．６秒」に比して、変動時間が「８秒」又は「１０秒」と長いため、第１図柄変動ゲームの実行中に第１始動入賞口１６に遊技球を入球させるチャンスが与えられることになる。
【０１１２】
本実施形態では、作動フラグに設定する値や作動コマンド及び非作動コマンドの出力状態によって、変短状態（入球率向上状態）の付与態様を制御する主制御用ＣＰＵ３０ａが、遊技状態制御手段として機能する。また、本実施形態では、変短状態時に大当り抽選に当選したことで付与される変短状態（１００回又は次回大当り抽選に当選するまで）と、第２図柄変動ゲームで１６Ｒ確変大当り又は１６Ｒ非確変大当りに当選したことで付与される変短状態（１００回又は次回大当り抽選に当選するまで）とが、付与回数に相当する。
【０１１３】
次に、普通図柄に関して主制御用ＣＰＵ３０ａが実行する処理を説明する。
主制御用ＣＰＵ３０ａは、メイン制御プログラムに基づき普通図柄入力処理や普通図柄開始処理などの各種処理を実行する。本実施形態において主制御用ＣＰＵ３０ａは、所定の制御周期（例えば、４ｍｓ）毎に普通図柄入力処理や普通図柄開始処理などの各種処理を実行する。
【０１１４】
最初に、普通図柄入力処理を説明する。
主制御用ＣＰＵ３０ａは、作動ゲート１９へ遊技球が入球し、該遊技球を検知したゲートスイッチＳＷ４が出力する検知信号を入力すると、主制御用ＲＡＭ３０ｃに記憶されている普図保留記憶数が上限数（本実施形態では４）未満であるか否かの保留判定を行う。保留判定の判定結果が肯定の場合、主制御用ＣＰＵ３０ａは、普図保留記憶数を１加算（＋１）し、普図保留記憶数を書き換える。また、保留判定を肯定判定した主制御用ＣＰＵ３０ａは、普図当り判定用乱数の値を主制御用ＲＡＭ３０ｃから取得し、その値を普図保留記憶数に対応付けて主制御用ＲＡＭ３０ｃの所定の記憶領域に格納する。なお、主制御用ＣＰＵ３０ａは、保留判定の判定結果が否定の場合、上限数を超える普図保留記憶数の書き換えを行わないとともに、普図当り判定用乱数の値も取得しない。
【０１１５】
次に、普図ゲームに関する普通図柄開始処理を説明する。
最初に、主制御用ＣＰＵ３０ａは、普図ゲームの実行中又は普図当り抽選の当選に基づく開閉羽根１８の動作中か否かの普図実行条件を判定する。この判定結果が肯定（普図ゲーム中又は開閉羽根１８の動作中である）の場合、主制御用ＣＰＵ３０ａは、普通図柄開始処理を終了する。その一方で、この判定結果が否定（普図ゲーム中ではなく、かつ開閉羽根１８の動作中でもない）の場合、主制御用ＣＰＵ３０ａは、普図保留記憶数が「０」よりも大きいか否かの普図保留判定を行う。この判定結果が否定の場合、主制御用ＣＰＵ３０ａは、普通図柄開始処理を終了する。
【０１１６】
一方、普図保留判定の判定結果が肯定の場合、主制御用ＣＰＵ３０ａは、普図保留記憶数を「１」減算し、更新後（減算後）の普図保留記憶数を表示するように普通図柄保留表示装置の表示内容を制御する。また、主制御用ＣＰＵ３０ａは、普図保留記憶数に対応付けられて主制御用ＲＡＭ３０ｃの所定の記憶領域に記憶されている普図当り判定用乱数の値を読み出す。そして、主制御用ＣＰＵ３０ａは、読み出した普図当り判定用乱数の値と普図当り判定値を比較し、両値が一致するか否かの普図当り判定を行う。このとき、主制御用ＣＰＵ３０ａは、作動フラグを確認し、非変短状態の場合、非変短状態用の普図当り判定値を用いる一方で、変短状態の場合、変短状態用の普図当り判定値を用いる。この遊技状態に応じた普図当り判定値の選択により、変短状態中は、普図当り判定（普図当り抽選）の抽選確率が高確率に変動する。
【０１１７】
また、主制御用ＣＰＵ３０ａは、普図ゲームの変動時間を定めた普図用の変動パターンを選択する。このとき、主制御用ＣＰＵ３０ａは、遊技状態が非変短状態の場合、第１の変動時間（例えば５秒）を定めた普図用の変動パターンを選択する一方で、遊技状態が変短状態の場合、第１の変動時間よりも短い第２の変動時間（例えば１秒）を定めた普図用の変動パターンを選択する。この遊技状態に応じた変動時間の異なる変動パターンの選択により、変短状態中は、普図ゲームの変動時間が短縮される。
【０１１８】
続いて、普図用の変動パターンを選択した主制御用ＣＰＵ３０ａは、当該変動パターンに従って普通図柄表示装置１４に普図ゲームを実行させる。そして、主制御用ＣＰＵ３０ａは、普図用の変動パターンに定める変動時間の経過時に、普図当り判定を肯定判定している場合には当り図柄を普通図柄表示装置１４に確定停止表示させる一方で、普図当り判定を否定判定している場合にははずれ図柄を普通図柄表示装置１４に確定停止表示させる。
【０１１９】
また、普図当り判定を肯定判定した場合、主制御用ＣＰＵ３０ａは、普図ゲームの終了後（当り図柄の確定停止表示後）、開閉羽根１８を所定の動作パターンに従って開閉動作させる。具体的に言えば、主制御用ＣＰＵ３０ａは、非変短状態時の場合、開閉羽根１８を、第１開放時間（本実施形態では０．２秒）で第１回数（本実施形態では１回）分、開放動作させる。一方、主制御用ＣＰＵ３０ａは、変短状態時の場合、開閉羽根１８を、第１開放時間よりも長い第２開放時間（本実施形態では１．５秒）で、第１回数よりも多い第２回数（本実施形態では３回）分、開放動作させる。この遊技状態に応じた異なる動作パターンによる開閉羽根１８の開放動作の制御により、変短状態中は、開閉羽根１８の開放時間が長くなる。
【０１２０】
次に、統括制御基板３１の統括制御用ＣＰＵ３１ａが、統括制御プログラムに基づいて実行する各種処理を説明する。
統括制御用ＣＰＵ３１ａは、変動パターン指定コマンドを入力すると、該コマンドを表示制御基板３２に出力する。また、統括制御用ＣＰＵ３１ａは、特図指定コマンドを入力すると、当該コマンドに従って演出表示装置１１に一旦停止表示又は確定停止表示させる飾図の図柄組み合わせを決定する。そして、統括制御用ＣＰＵ３１ａは、決定した飾図を指示する飾図指定コマンドを表示制御基板３２に出力する。
【０１２１】
具体的に言えば、統括制御用ＣＰＵ３１ａは、大当りが指示された場合、統括制御用ＣＰＵ３１ａは、大当りを認識し得る飾図による大当りの図柄組み合わせを決定する（例えば、［７７７］などの全列の図柄が同一図柄となる図柄組み合わせ）。また、統括制御用ＣＰＵ３１ａは、はずれ図柄が指示された場合、はずれを認識し得る飾図によるはずれの図柄組み合わせを決定する。このとき、統括制御用ＣＰＵ３１ａは、はずれリーチ変動用の変動パターンが指示されている場合、リーチを形成するはずれの図柄組み合わせを決定する。一方、統括制御用ＣＰＵ３１ａは、はずれ変動用の変動パターンが指示されている場合、リーチを形成しないはずれの図柄組み合わせを決定する。そして、飾図を決定した統括制御用ＣＰＵ３１ａは、飾図を指示する飾図指定コマンドを表示制御基板３２に出力する。また、統括制御用ＣＰＵ３１ａは、全図柄停止コマンドを入力すると、該コマンドを表示制御基板３２に出力する。
【０１２２】
また、統括制御用ＣＰＵ３１ａは、演出モードの移行に係る制御を実行する。具体的に言えば、統括制御用ＣＰＵ３１ａは、入力した確変コマンド、非確変コマンド、作動コマンド、及び非作動コマンド、演出モードフラグに設定された演出モードの設定値をもとに、演出モードの移行態様を制御する。演出モードフラグは、現在設定されている演出モードを識別可能な情報で構成されており、統括制御用ＲＡＭ３１ｃに設定される。統括制御用ＣＰＵ３１ａは、演出モードフラグを設定すると、滞在中の演出モードを指示する演出モード指定コマンドを表示制御基板３２に出力する。
【０１２３】
次に、表示制御基板３２について説明する。
表示制御基板３２の表示制御用ＣＰＵ３２ａは、変動パターン指定コマンドを入力すると、全列の飾図の変動（変動表示）を開始させ、飾図変動ゲームが開始されるように演出表示装置１１を制御する。また、表示制御用ＣＰＵ３２ａは、該コマンドに指示される変動パターンに対応する演出内容を選択し、該演出内容で図柄変動ゲームを実行させるように演出表示装置１１の表示内容を制御する。このとき、表示制御用ＣＰＵ３２ａは、選択した演出内容をもとに表示制御用ＲＯＭ３２ｂの画像データを用いて前記演出内容に沿った画像を表示するための表示用データを生成する。そして、表示制御用ＣＰＵ３２ａは、図柄変動ゲームの開始に伴って該ゲームの開始からの経過時間を計時し、その計時した時間と表示用データをもとに演出表示装置１１に映し出す画像を所定の制御周期毎（例えば、４ｍｓ毎）に切り替える。
【０１２４】
また、表示制御用ＣＰＵ３２ａは、飾図指定コマンドを入力すると、図柄変動ゲームの終了時に、飾図指定コマンドで指示される図柄組み合わせを一旦停止表示させるように演出表示装置１１の表示内容を制御する。そして、表示制御用ＣＰＵ３２ａは、図柄変動ゲーム中に全図柄停止コマンドを入力すると、飾図指定コマンドで指示された図柄を確定停止表示させるように演出表示装置１１の表示内容を制御し、図柄変動ゲームを終了させる。本実施形態では、第１図柄変動ゲーム又は第２図柄変動ゲームを演出表示装置１１に表示させる表示制御用ＣＰＵ３２ａが、図柄変動ゲーム制御手段として機能する。
【０１２５】
また、表示制御用ＣＰＵ３２ａは、演出モードの移行に係る制御を実行する。具体的に言えば、表示制御用ＣＰＵ３２ａは、演出モード指定コマンドを入力すると、指示される演出モードで演出表示装置１１（画像表示部ＧＨ）の表示内容を制御する。例えば、変短モードＭ２の滞在中である場合、演出表示装置１１では、変短モードＭ２での表示画像が表示されるとともに、変短モードＭ２での実行態様による図柄変動ゲームが実行される。
【０１２６】
次に、特別状態中に行われる図柄変動ゲームの態様について、その作用とともに図１０に従って説明する。なお、図中、「特１」及び「特２」の横に記載された「○（まる）」は、それぞれ始動保留球を示す。また、「○（まる）」の中に記載された数字は、第１始動入賞口１６及び第２始動入賞口１７を纏めたときの入球順序を示している。また、非変短状態中の第１図柄変動ゲームで２Ｒ確変大当りが決定されたことを前提としている。
【０１２７】
また、以下の説明では、大当り遊技が終了するまでに、第１始動入賞口１６及び第２始動入賞口１７にそれぞれ４球の遊技球が入球したものとして説明する。この場合、１番目（第１始動入賞口１６及び第２始動入賞口１７を纏めたときの入球順序）に第１始動入賞口１６に入球した遊技球が第１保留記憶数「１」に該当する。また、２番目に第１始動入賞口１６に入球した遊技球が第１保留記憶数「２」に該当する。また、３番目に第１始動入賞口１６に入球した遊技球が第１保留記憶数「３」に該当する。また、４番目に第２始動入賞口１７に入球した遊技球が第２保留記憶数「１」に該当する。また、５番目に第２始動入賞口１７に入球した遊技球が第２保留記憶数「２」に該当する。また、６番目に第１始動入賞口１６に入球した遊技球が第１保留記憶数「４」に該当する。また、７番目に第２始動入賞口１７に入球した遊技球が第２保留記憶数「３」に該当する。また、８番目に入球した遊技球が第２保留記憶数「４」に該当する。
【０１２８】
前提により、大当り遊技終了後に変短状態（特別状態）が付与される。本実施形態では、第１始動入賞口１６又は第２始動入賞口１７に入球した順に第１図柄変動ゲーム又は第２図柄変動ゲームを実行させるため、大当り遊技終了後、変短状態（特別状態）の付与対象となる１回目の図柄変動ゲームは、入球順序が１番目である保留記憶数「１」に基づく第１図柄変動ゲームとなる。この時点において、第１図柄変動ゲームの実行回数は「１」となる。
【０１２９】
そして、１回目の図柄変動ゲームが終了すると、時点ａ１に示すように、変短状態（特別状態）の付与対象となる２回目の図柄変動ゲームは、図７のステップＳ１５で記憶領域を１つずつスライドさせたことで保留記憶数「１」に対応する記憶領域に記憶された第１図柄変動ゲームとなる（入球順序が２番目）。この時点において、第１図柄変動ゲームの実行回数は「２」となる。
【０１３０】
その後、２回目の図柄変動ゲームが終了すると、時点ａ２に示すように、変短状態（特別状態）の対象となる３回目の図柄変動ゲームは、入球順序が３番目である第１図柄変動ゲームとなる。この時点において、第１図柄変動ゲームの実行回数は「３」となる。その後、３回目の図柄変動ゲームが終了すると、時点ａ３に示すように、変短状態（特別状態）の対象となる４回目の図柄変動ゲームは、入球順序が４番目である第２図柄変動ゲームとなる。なお、この時点では、第２図柄変動ゲームが実行されたことで、第１図柄変動ゲームの実行回数は「３」から変わらないため、変短状態（特別状態）が継続して付与される。よって、４回目の図柄変動ゲームが終了すると、時点ａ４に示すように、変短状態（特別状態）の対象となる５回目の図柄変動ゲームは、入球順序が５番目である第２図柄変動ゲームとなる。なお、この時点においても第２図柄変動ゲームが実行されたことで、第１図柄変動ゲームの実行回数は「３」から変わらないため、変短状態（特別状態）が継続して付与される。
【０１３１】
よって、５回目の図柄変動ゲームが終了すると、時点ａ５に示すように、変短状態の対象となる６回目の図柄変動ゲームは、入球順序が６番目である第１図柄変動ゲームとなる。この時点において、第１図柄変動ゲームの実行回数は「４」となる。従って、時点ａ６に示すように、変短状態（特別状態）の対象となる６回目の図柄変動ゲームの終了を以て変短状態（特別状態）が終了する。これにより、非変短状態時に２Ｒ確変大当りに当選したことで、６回の図柄変動ゲーム（第１図柄変動ゲームが４回、第２図柄変動ゲームが２回）を対象として変短状態（特別状態）が付与されたことになる。
【０１３２】
なお、変短状態（特別状態）の終了後も、第１始動入賞口１６又は第２始動入賞口１７に入球した順に第１図柄変動ゲーム又は第２図柄変動ゲームが実行される。これにより、時点ａ７に示すように、非変短状態の対象となる１回目の図柄変動ゲームは、入球順序が７番目である第２図柄変動ゲームとなる。その後、非変短状態の対象となる１回目の図柄変動ゲームが終了すると、時点ａ８に示すように、非変短状態の対象となる２回目の図柄変動ゲームは、入球順序が８番目である第２図柄変動ゲームとなる。
【０１３３】
また、ここでは図示しないが、入球順序が６番目となる遊技球（第１保留記憶数「４」）に基づく第１図柄変動ゲームで、大当り判定で当選となる大当り判定用乱数を取得していると共に、図柄Ａを特定する特図振分用乱数を取得しているとする。このような場合、前述したように、変短状態（特別状態）が生起されてから４回の図柄変動ゲームが実行されたにもかかわらず、第１図柄変動ゲームの実行回数が「４回」に到達していないことで、大当り遊技終了後、６回目の図柄変動ゲームも変短状態（特別状態）の対象となっている。よって、入球順序が６番目となる遊技球に基づく第１図柄変動ゲームが大当りとなるのであれば、当該第１図柄変動ゲーム終了後、変短状態時に大当り抽選に当選した場合と同じく、次回大当り抽選に当選するまで、変短状態が付与されることになる。ちなみに、特別状態中、４回の第１図柄変動ゲームが実行されたことで特別状態が終了しているとする。この場合、大当り遊技終了後、６回目の第１図柄変動ゲームの開始時には変短状態（特別状態）が付与されていないことから、大当り抽選に当選したとしても、変短上限回数として「１０回」が決定されることになる。
【０１３４】
したがって、本実施形態では、以下に示す効果を得ることができる。
（１）２Ｒ確変大当り（特定当り）が決定された場合、主制御用ＲＡＭ３０ｃ（第１保留記憶手段）の上限数「４」と同一回数の第１図柄変動ゲームが行われることを契機に変短状態（特別状態）を終了させるようにした。これによれば、２Ｒ確変大当りが決定された場合であっても第１保留記憶数の上限数「４」と同一回数の第１図柄変動ゲームが行われる期間中は、変短状態（特別状態）が付与されることになる。したがって、変短状態（特別状態）中に第１図柄変動ゲームに基づく大当り判定が行われることになる。そして、その大当り判定で大当りと判定されたのであれば、第２図柄変動ゲームで当選したときと同じ回数の図柄変動ゲームで変短状態（通常変短状態）が付与されることになる。したがって、第１図柄変動ゲームが不利とならない。
【０１３５】
（２）変短状態の終了後であっても、第２図柄変動ゲームでは、非変短状態時における第２図柄変動ゲームで図柄ｂが決定された場合を除き、変短状態の有無にかかわらず、１００回又は次回大当り抽選に当選するまで（付与回数）を上限として変短状態（通常変短状態）が付与される。このため、非変短状態時に第２図柄変動ゲームが実行されたとしても、第２図柄変動ゲームで獲得し得る利益（変短状態が付与される上限回数）が遊技状態の変化の影響を受けて損なわれない。
【０１３６】
（３）２Ｒ確変大当りが決定された場合、第１保留記憶数の上限値と同一回数の第１図柄変動ゲームが行われることを契機に変短状態（特別状態）が終了する。一方、２Ｒ確変大当りを除く大当りが決定された場合、第１図柄変動ゲーム及び第２図柄変動ゲームの合計実行回数が、当選時の遊技状態に対応付けられた規定回数に到達したことを契機に変短状態（通常変短状態）が終了する。なお、２Ｒ確変大当りの他、変短上限回数を定めた大当り種において、第１保留記憶数の上限値と同一回数の第１図柄変動ゲームが終了するまで変短状態（特別状態）を継続させるとすると、第１図柄変動ゲームが第１保留記憶数の上限値と同一回数行われるまで、変短状態（特別状態）が終了しないことになる。また、第１始動入賞口１６（第１始動検知手段）で遊技球が検知されるタイミングは、遊技者の違いや遊技球の第１始動入賞口１６への発射間隔などの影響を受け、変短状態の付与回数（特別状態）が常に変化してしまうことになる。したがって、変短状態（特別状態）の付与回数を不変とする大当り（２Ｒ確変大当り）と不変としない大当り（１６Ｒ確変大当り又は１６Ｒ非確変大当り）を設定することで、遊技者には不変となる大当り（２Ｒ確変大当り）を推測させる楽しみを与えることができる。その一方で、遊技店側にとっては、変短状態（通常変短状態）に上限を設けることで、利益を損なわせない。
【０１３７】
（４）２Ｒ確変大当りを除く大当りであっても、変短状態（通常変短状態）が付与されていないときの第１図柄変動ゲームでは、第１保留記憶数の上限値より多いものの、変短状態が付与されているときの第２図柄変動ゲームで当選したときに付与される回数ほど変短状態（通常変短状態）が付与されない。このような遊技性において、２Ｒ確変大当りが決定されたことで付与された変短状態（特別状態）中は、第２図柄変動ゲームに基づく大当り判定で大当りと判定されたときと同一回数の図柄変動ゲームで変短状態（通常変短状態）を付与するようにした。これによれば、変短状態（特別状態）中に行われる第１図柄変動ゲームの大当り判定で大当りと判定されたのであれば、第２図柄変動ゲームで当選したときと同じ回数の図柄変動ゲームで変短状態が付与されることになる。したがって、第１図柄変動ゲームが不利とならない。
【０１３８】
（５）変短状態中、第２始動入賞口１７を狙って遊技球を発射させた際に第１始動入賞口１６に遊技球が入球してしまうことがある。このような場合であっても、特別状態中に第１図柄変動ゲームで当選したときには、第２図柄変動ゲームで当選したときと同一回数の図柄変動ゲームで変短状態（通常変短状態）を付与するようにしたことで、変短状態中に第１始動入賞口１６に遊技球が入球してしまった場合であっても、第１図柄変動ゲームが不利とならない。
【０１３９】
（６）第１始動入賞口１６又は第２始動入賞口１７に入球した順に第１図柄変動ゲーム又は第２図柄変動ゲームを実行させる仕様としても、変短状態の終了後は、変短状態中に比して第２始動入賞口１７に遊技球が入球し難いため、結果、第１図柄変動ゲームが実行され易くなる。よって、変短状態の終了後は、第１始動入賞口１６を狙って遊技球を発射させた方が、大当り判定の権利が獲得し易くなる。
【０１４０】
（７）第２図柄変動ゲームで大当り抽選及びリーチ抽選に当選しなかった場合、変短状態時であっても、変動時間として「８秒」を特定する変動パターンＰ２が選択される。これにより、変短状態中に第１保留記憶数が「０」となっても、遊技球の発射間隔「０．６秒」に比して、変動時間が「８秒」と長いため、第２図柄変動ゲームの実行中に第１始動入賞口１６に遊技球を入球させるチャンスが与えられる。つまり、大当り抽選の権利を獲得させることができる。
【０１４１】
（８）第１図柄変動ゲームで大当り抽選及びリーチ抽選に当選しなかった場合も、遊技球の発射間隔「０．６秒」に比して、変動時間として「８秒」又は「１０秒」を特定する変動パターンＰ１，Ｐ２が選択される。これにより、変短状態中に第１保留記憶数が「０」となっても、変動時間が「８秒」又は「１０秒」と長いため、第１図柄変動ゲームの実行中に第１始動入賞口１６に遊技球を入球させるチャンスが与えられる。つまり、大当り抽選の権利を獲得させることができる。
【０１４２】
（９）非変短状態時の大当り抽選で２Ｒ確変大当りに当選した場合、特別状態中に行われる第１図柄変動ゲームで大当り抽選に当選することができれば、１００回又は次回大当り抽選に当選するまでの間、変短状態（通常変短状態）が付与されることになる。これにより、遊技者は、特別状態中、第１図柄変動ゲームで大当り抽選に当選させるために、第１始動入賞口１６を狙うことになるため、特別状態中の止め打ち防止に繋がる。
【０１４３】
（１０）変短状態中に第１始動入賞口１６で入球した遊技球に基づく第１図柄変動ゲームは、変短状態の終了後に実行されることもある。ただし、当選した時の遊技状態が特別状態であるならば、第２図柄変動ゲームで大当り抽選に当選したときと同一回数を上限として変短状態が付与されるので、同一の「変短状態」中に入球した遊技球に基づく図柄変動ゲームが、大当り抽選の実行タイミングの影響を受けない。よって、本来獲得し得る利益を遊技者に与えることができる。
【０１４４】
なお、上記実施形態は以下のように変更しても良い。
・  実施形態において、第１保留記憶数と第２保留記憶数の上限値は、「４」に限られない。
【０１４５】
・  実施形態において、第１保留記憶数と第２保留記憶数の上限値が異なっていても良い。
・  実施形態では、大当り遊技の終了時に特別状態フラグに値を設定するようになっていたが、特別図柄開始処理においてステップＳ１８で大当りの種類を決定してから特別状態フラグに値を設定するようにしても良い。
【０１４６】
・  実施形態において、変短状態時に２Ｒ確変大当りに当選した場合に付与される変短上限回数は、非変短状態時に当選した２Ｒ確変大当りに基づく変短上限回数よりも１回でも多くなれば、どのような回数であっても良い。
【０１４７】
・  実施形態では、特別状態中に第１始動入賞口１６に入球したことで第１始動保留球として記憶された遊技球に基づく図柄変動ゲームが終了するまで、特別状態を終了させないようにしても良い。
【０１４８】
・  実施形態では、第１図柄変動ゲーム及び第２図柄変動ゲームにおいて、大当り抽選に当選した場合に決定される各種大当りの割合を異ならせても良い。例えば、大当り遊技終了後に確変状態を付与する１６Ｒ確変大当りと２Ｒ確変大当りにおいて、図柄Ａが２５／１００の確率で決定されるように特図の大当り図柄を対応付ける一方で、図柄Ｂが５０／１００の確率で決定されるように特図の大当り図柄を対応付けても良い。一方、図柄ａが５０／１００の確率で決定されるように特図の大当り図柄を対応付ける一方で、図柄ｂが２５／１００の確率で決定されるように特図の大当り図柄を対応付けても良い。また、１６Ｒ確変大当りと２Ｒ確変大当りを比較すると、ラウンド遊技時間や入球上限個数が同一であるならば、２Ｒ確変大当りよりも１６Ｒ確変大当りの方が上限ラウンド数が多い分、総賞球払出個数も多くなる。
【０１４９】
・  実施形態では、第１始動保留球が記憶されている場合であっても、第２始動保留球が記憶されている場合には、第２図柄変動ゲームを第１図柄変動ゲームに比して優先的に実行させても良い。また、特別状態中は、第２始動保留球が記憶されている場合であっても、第１始動保留球が記憶されている場合には、第２図柄変動ゲームに比して第１図柄変動ゲームを優先的に実行させても良い。
【０１５０】
・  実施形態で決定される当りの種類として、小当りを設定しても良い。小当りとは、小当り抽選に当選した場合、小当り当選時の遊技状態を継続させる当りである。そして、小当りを設定する場合、１回の大当り遊技中に２Ｒ確変大当りにおける大入賞口２０の開放回数と同一回数及び同一時間だけ大入賞口２０を開閉動作させるようにすることが好ましい。
【０１５１】
・  実施形態において、変短状態中に大当り抽選に当選した際に付与される変短状態を１００回に統一しても良い。
・  実施形態において、特別状態を生起させる契機となる大当りは、非変短状態時の第１図柄変動ゲームで２Ｒ確変大当りに当選することのみとしても良い。
【０１５２】
・  実施形態における変短状態は、普図ゲームの変動時間の短縮、普図当り抽選に抽選確率の向上、開閉羽根１８の開放回数の増加、開閉羽根１８の開放時間の増加、及び特図変動ゲームの変動時間の短縮のうち、少なくともいずれか１つを含んでいれば良い。
【０１５３】
・  実施形態では、大当り抽選に当選したことで付与される変短上限回数は、大当り抽選当選時の遊技状態（確変状態の有無及び変短状態の有無の組み合わせ）によって、それぞれ回数を異ならせても良い。
【０１５４】
・  実施形態では、主制御用ＣＰＵ３０ａが、特図指定コマンドに代えて、当りの種類を示す制御コマンドを出力しても良い。なお、この制御コマンドは、当りの種類毎に設定されたコマンドであって、特図の種類は特定できない。また、当りの種類毎に変動パターンを設定した場合には、変動パターン指定コマンドをもとに統括制御用ＣＰＵ３１ａが、当りの種類を把握するようにしても良い。
【０１５５】
・  実施形態において、統括制御基板３１を省略し、統括制御基板３１が実行していた制御を表示制御基板３２が実行するようにしても良い。また、統括制御基板３１と表示制御基板３２を１枚の基板に一体化しても良い。つまり、統括制御基板３１が実行していた制御は、どの制御基板が実行しても良い。
【０１５６】
・  実施形態では、演出表示装置１１を液晶式としたが、ドットマトリクス式や７セグメントＬＥＤ式の演出表示装置としても良いし、ドラム式などの機械式の演出表示装置としても良い。
【０１５７】
・  実施形態は、特図と飾図を用いるパチンコ遊技機に具体化したが、特図のみを用いるパチンコ遊技機に具体化しても良い。
次に、実施形態及び別例から把握できる技術的思想を以下に追記する。
【０１５８】
（イ）前記第１図柄変動ゲームに基づく当り判定で当りと判定された場合、又は前記第２図柄変動ゲームに基づく当り判定で当りと判定された場合に遊技者に付与される特典の違いは、前記入球率向上状態が付与される図柄変動ゲーム数であって、前記第１図柄変動ゲームに基づく当り判定で当りと判定された場合よりも前記第２図柄変動ゲームに基づく当り判定で当りと判定された場合の方が、前記入球率向上状態が付与される図柄変動ゲーム数が多く設定されている遊技機。
【０１５９】
（ロ）前記遊技状態制御手段は、前記入球率向上状態が付与されているときに前記第１図柄変動ゲームで前記特定当りが決定された場合、前記付与回数を上限として当り遊技終了後の図柄変動ゲームで前記入球率向上状態を付与することを特徴とする請求項１〜請求項４、及び前記技術的思想（イ）のうちいずれか一項に記載の遊技機。
【０１６０】
（ハ）少なくとも前記特定当りが決定されたことで付与された入球率向上状態の終了後は、前記第２図柄変動ゲームが優先的に実行されることを特徴とする請求項１〜請求項４、及び前記技術的思想（イ），（ロ）のうちいずれか一項に記載の遊技機。
【０１６１】
（ニ）複数種類の図柄を変動させて行う図柄変動ゲームを表示する表示手段を備え、前記図柄変動ゲームにて当り表示結果が表示された場合に、特別入賞手段が所定回数開放される当り遊技が行われる遊技機において、第１図柄変動ゲームの始動条件を付与する第１始動検知手段と、第２図柄変動ゲームの始動条件を付与する第２始動検知手段と、前記第１始動検知手段で検知された遊技球を第１始動保留球として第１記憶上限数まで記憶する第１保留記憶手段と、前記第２始動検知手段で検知された遊技球を第２始動保留球として第２記憶上限数まで記憶する第２保留記憶手段と、前記第１始動検知手段又は前記第２始動検知手段で遊技球が検知されたことを契機に、当りか否かの当り判定を実行する当り判定手段と、前記当り判定で当りと判定された場合に付与する当りの種類を複数種類の当りの中から決定する当り決定手段と、前記第２始動検知手段への単位時間あたりの遊技球の入球確率を向上させる入球率向上状態の付与態様を制御する遊技状態制御手段と、前記第１図柄変動ゲーム又は前記第２図柄変動ゲームを前記表示手段に表示させるように制御する図柄変動ゲーム制御手段と、を備え、前記当り決定手段は、前記第１図柄変動ゲームに基づく当り判定、又は前記第２図柄変動ゲームに基づく当り判定で当りと判定する確率を同一確率とし、前記図柄変動ゲーム制御手段は、前記第１始動検知手段又は前記第２始動検知手段において遊技球を検知した順に図柄変動ゲームを実行させるようになっており、前記遊技状態制御手段は、前記第２図柄変動ゲームに基づく当り判定で当りと判定された場合、前記第１図柄変動ゲームで特定当りが決定された場合に付与される回数よりも多い図柄変動ゲームで前記入球率向上状態を付与するようになっており、前記特定当りが決定された場合、前記第１記憶上限数と同一回数の前記第１図柄変動ゲームが行われることを契機に前記入球率向上状態を終了させることを特徴とする遊技機。
【符号の説明】
【０１６２】
ＨＤ…発射ハンドル、１０…遊技盤、１１…演出表示装置、１２ａ，１２ｂ…特別図柄表示装置、１６，１７…始動入賞口、２０…大入賞口、３０…主制御基板、３０ａ…主制御用ＣＰＵ、３０ｃ…主制御用ＲＡＭ、３１…統括制御基板、３１ａ…統括制御用ＣＰＵ、３１ｂ…統括制御用ＲＯＭ、３１ｃ…統括制御用ＲＡＭ、３２…表示制御基板、３２ａ…表示制御用ＣＰＵ。
【図１】
0005872355.tif 000002
【図２】
0005872355.tif 000003
【図３】
0005872355.tif 000004
【図４】
0005872355.tif 000005
【図５】
0005872355.tif 000006
【図６】
0005872355.tif 000007
【図７】
0005872355.tif 000008
【図８】
0005872355.tif 000009
【図９】
0005872355.tif 000010
【図１０】
0005872355.tif 000011